(57)【要約】【課題】外観を一見しただけで不正行為が行われたことが解る対応動作を追加することが可能なスロットマシンの提供。【解決手段】ストップスイッチ150 の押圧される部位である被押圧部151 を、複数の被覆プレート156 に分割し、これらの被覆プレート156 を集合位置γ及び分離位置δの一方から他方へ移動可能に支持し、ロータリーソレノイド158 で駆動する。そして、不正行為が検出されたら、被覆プレート156 を集合位置γから分離位置δへ移動させ、ストップスイッチ150 が作動しないように固定する。これにより、遊技動作を停止させなくとも、遊技の進行を阻止する。また、被押圧部151 の形状が大きく変化するので、外観を一見しただけで不正行為が行われたことが解る対応動作を追加することができる。【選択図】    図３
2009011630.tif 000002
【特許請求の範囲】
【請求項１】
周面に複数種類の図柄が記された複数の回転リールと、これらの回転リールの回転を停止させる際に操作される複数の停止スイッチと、外部からの不正な手段で所定の不正な操作が行われたことを検出して不正検出信号を出力する不正検出手段とを備え、遊技者が前記複数の停止スイッチを操作して、所定の図柄の組合せが示される位置に前記複数の回転リールを停止させることができた場合に入賞となるスロットマシンであって、
前記停止スイッチの押圧操作の際に押圧される部位に形成されているとともに、複数の被覆プレートに分割された被押圧部と、
前記複数の被覆プレートのそれぞれを所定の二位置の一方から他方へ移動可能に支持する支持手段と、
前記複数の被覆プレートを所定の二位置の一方から他方へ移動させる駆動手段と、
前記不正検出手段が不正検出信号を出力すると、前記駆動手段に前記複数の被覆プレートを所定の二位置の一方から他方へ移動させる制御手段と、
が設けられていることを特徴とするスロットマシン。
【請求項２】
前記停止スイッチは、当該スロットマシンの前面を形成する前扉の前面壁部に配置されたものであり、
前記支持手段は、前記複数の被覆プレートの各々が互いに寄せ集まる集合位置、及び、互いに離れる分離位置との二位置間について移動可能に支持するものであり、
前記前扉の前面壁部には、前記複数の被覆プレートが前記集合位置から前記分離位置まで移動すると、これらの被覆プレートの各々を係止する係止部が設けられ、
前記制御手段は、前記不正検出手段が不正検出信号を出力すると、前記停止スイッチの押圧操作を行えないようにするために、前記駆動手段に前記複数の被覆プレートを前記集合位置から前記分離位置まで移動させて前記係止部に係止させるものであることを特徴とする請求項１記載のスロットマシン。
【請求項３】
前記被押圧部は、円形に形成されたものであり、
前記複数の被覆プレートの各々は、円形に形成された前記被押圧部を、その中心を通る線で分割した扇形に形成されたものであり、
前記支持手段は、前記被押圧部の中心に寄せ集まる集合位置、及び、前記被押圧部の中心から径方向に離隔した分離位置の二位置間について、前記複数の被覆プレートの各々を移動可能に支持するものであることを特徴とする請求項２記載のスロットマシン。
【請求項４】
前記複数の停止スイッチの各々は、当該スロットマシンの前面を形成する前扉の前面壁部の裏側に配置され、それぞれに対応して当該前面壁部に開口された各操作孔を通って、その被押圧部が前記前扉の外側に突出しているものであり、
前記複数の被覆プレートは、前記前扉の外側で、前記集合位置及び前記分離位置の二位置の間を摺動可能となっていることを特徴とする請求項３記載のスロットマシン。
【請求項５】
前記被押圧部は、円形に形成されたものであり、
前記複数の被覆プレートの各々は、円弧状に湾曲した湾曲辺を有するとともに、この湾曲辺側が凹み、且つ、当該湾曲辺の一端側に向かって次第に細くなっていく略鉤爪形に形成されたプレートであり、
前記支持手段は、前記被押圧部の押圧される被押圧面と略直角に交差する支持軸で、前記複数の被覆プレートの各々の湾曲辺の他端側を軸支し、前記被覆プレートの各湾曲辺の一端側が前記被押圧部の中央に寄せ集まる集合位置、及び、前記被覆プレートの各湾曲辺の一端側が前記被押圧部の外周縁部分に達して、前記複数の被覆プレートが円形の開口を形成する分離位置の二位置間について、前記複数の被覆プレートの各々を回動可能に支持するものであることを特徴とする請求項２記載のスロットマシン。
【請求項６】
前記複数の停止スイッチの各々は、当該スロットマシンの前面を形成する前扉の前面壁部の裏側に配置され、それぞれに対応して当該前面壁部に開口された各操作孔を通じて、その被押圧部が押圧操作可能となったものであり、
前記複数の被覆プレートは、前記前扉の外側で、前記集合位置及び前記分離位置の二位置の間を回動可能となっていることを特徴とする請求項５記載のスロットマシン。
【請求項７】
前記被押圧部は、円形に形成されたものであり、
前記複数の被覆プレートの各々は、前記被押圧部を、その中心を通る線で分割した扇形に形成されたものであり、
前記支持手段は、前記被押圧部の押圧される被押圧面と平行に配置された支持軸で、前記複数の被覆プレートの円弧状となった端縁部分を軸支し、前記被覆プレートの扇状の中心角部分が前記被押圧部の中央に寄せ集まる集合位置、及び、前記被覆プレートの扇状の中心角部分が前記被押圧部の周縁から外側に離隔した分離位置の二位置間について、前記複数の被覆プレートの各々を回動可能に支持するものであることを特徴とする請求項２記載のスロットマシン。
【請求項８】
前記制御手段は、前記駆動手段に前記複数の被覆プレートを前記分離位置まで移動させて前記係止部に係止させると、前記前扉が開放されて所定のリセット操作が行われるまで、前記複数の被覆プレートを前記係止部に係止させた状態を維持するものであることを特徴とする請求項２から請求項７までのいずれかに記載のスロットマシン。
【請求項９】
前記不正検出手段は、予め軽微な不正行為として定められた不正行為を検出した場合には、不正検出信号の送出に伴って、軽不正信号をも送出するように形成されたものとされ、
前記制御手段は、軽不正信号を受信せず、不正検出信号のみを受信したことに対応して、前記複数の被覆プレートを前記係止部に係止させた場合には、前記前扉が開放されて所定のリセット操作が行われるまで、前記複数の被覆プレートを前記係止部に係止させた状態を維持する一方、軽不正信号及び不正検出信号の両方を受信したことに対応して、前記複数の被覆プレートを前記係止部に係止させた場合には、当該係止の開始から所定時間が経過した後に、前記駆動手段により前記複数の被覆プレートを前記集合位置に戻させ、前記被覆プレートと前記係止部との係止を解除するものとなっていることを特徴とする請求項８記載のスロットマシン。
【請求項１０】
周面に複数種類の図柄が記された複数の回転リールと、これらの回転リールの回転を停止させる際に操作される複数の停止スイッチと、外部からの不正な手段で所定の不正な操作が行われたことを検出して不正検出信号を出力する不正検出手段とを備え、遊技者が前記複数の停止スイッチを操作して、所定の図柄の組合せが示される位置に前記複数の回転リールを停止させることができた場合に入賞となるスロットマシンであって、
前記複数の停止スイッチの各々は、押圧操作の際に押圧される部位に形成されている被押圧部を備えるとともに、当該スロットマシンの前面を形成する前扉の前面壁部の裏側に配置され、それぞれに対応して前記前面壁部に開口された操作孔を通じて、その被押圧部が押圧操作可能となったものであり、
前記前面壁部に開口された操作孔を閉塞することが可能な複数の閉塞プレートと、
前記複数の閉塞プレートのそれぞれを、前記操作孔を開放する開放位置及び前記操作孔を閉鎖する閉鎖位置の二位置の一方から他方へ移動可能に支持する支持手段と、
前記複数の閉塞プレートを前記開放位置及び前記閉鎖位置の二位置の一方から他方へ移動させる駆動手段と、
前記不正検出手段が不正検出信号を出力すると、前記駆動手段に前記複数の閉塞プレートを前記開放位置から前記閉鎖位置へ移動させる制御手段と、
が設けられていることを特徴とするスロットマシン。
【請求項１１】
前記操作孔は、円形に形成されたものであり、
前記複数の閉塞プレートの各々は、円弧状に湾曲した湾曲辺を有するとともに、この湾曲辺側が凹み、且つ、当該湾曲辺の一端側に向かって次第に細くなっていく略鉤爪形に形成されたプレートであり、
前記支持手段は、前記被押圧部の押圧される被押圧面と略直角に交差する支持軸で、前記複数の閉塞プレートのそれぞれに設けられている湾曲辺の他端側を軸支し、前記閉塞プレートの各湾曲辺の一端側が前記操作孔の外周縁部分に達して、前記複数の閉塞プレートが円形の開口を形成する開放位置、及び、前記閉塞プレートの各湾曲辺の一端側が前記操作孔の中央に寄せ集まる閉鎖位置の二位置間について、前記複数の閉塞プレートの各々を回動可能に支持するものであることを特徴とする請求項１０記載のスロットマシン。
【発明の詳細な説明】
【技術分野】
【０００１】
本発明は、スロットマシンに関する。
【背景技術】
【０００２】
従来から、人々に娯楽を提供する遊技機としてスロットマシンが利用されている。スロットマシンは、箱状に形成された筐体の内部に、複数種類の図柄が記されるとともに回転駆動可能に設けられた複数の回転リール等の遊技用装置が収納されているものであり、複数の回転リールに設けられた複数種類の図柄を所定の組合せに揃える遊技を遊技者に行わせるものとなっている。
すなわち、遊技用装置を内部に収納している筐体は、前面が開口されたものであり、この開口が前扉により塞がれている。そして、前扉には、回転リールに設けられた複数種類の図柄の一部を表示させるための図柄表示窓と、回転リールを回転させるためのスタートスイッチと、回転リールを回転させるためのストップスイッチとが設けられている。
【０００３】
メダルがスロットマシンに投入された後、遊技者によってスタートスイッチが操作されると、複数の回転リールが一斉に回転を開始し、この後、遊技者によってストップスイッチが押圧操作されると、回転リールが適宜停止するようになっている。
すべての回転リールが停止した際に、リール窓内に表示された複数の図柄が特定の組合せに揃ったときに入賞となり、入賞すると、入賞した役に応じた数のメダルがスロットマシンから遊技者に払い出されるようになっている。
ここで、筐体と前扉との隙間から細長い針金状の器具を差し込んで、当該スロットマシンでの遊技における当選確率を変更する設定変更操作を無断で行い、ボーナスゲーム等の特別遊技に当選する確率を不当に高くし、これにより、ボーナスゲーム等の特別遊技に入賞しやすい状態にして遊技を行い、大量のメダルを不正に得る不正行為がスロットマシンに対して行われることがある。
【０００４】
そこで、筐体と前扉との隙間から筐体の内部に細長い針金状の器具が差し込まれた等の不正行為を検出すると、不正行為検出信号を発信する不正行為検出手段と、この不正行為検出手段が不正行為検出信号を発信すると、警報音を鳴動させるとともにスロットマシンの遊技を停止させる不正行為防止手段とを備え、こられの手段で不正行為の防止を図ったスロットマシンが知られている（例えば、特許文献１参照）。
【特許文献１】特開２００５−１５２１０７号
【発明の開示】
【発明が解決しようとする課題】
【０００５】
前述のようなスロットマシンでは、不正行為に対する対応動作として、警報音の鳴動及び遊技停止以外の対応動作が設けられていないので、不正行為を検出すると、一律に警報音を鳴動させるとともに遊技を停止させるようになっている。
このため、行われる不正行為の内容が毎回相違していたとしても、同じ対応動作しか行えず、現場まで足を運んで当該スロットマシンを調査しなければ、どのような不正行為が行われたのかまったく解らないので、不正行為に対する異なる対応動作を追加したい、という要望がある。
また、不正行為が行われたために遊技を停止した場合、スロットマシンの外観を一見しただけでは、不正行為が行われたのか、あるいは、故障が発生したのか判別することができず、不正行為に対する対応動作を追加するにあたり、スロットマシンの外観を一見しただけで不正行為が行われたことが解る対応動作を追加したい、という要望もある。
【０００６】
そこで、各請求項にそれぞれ記載された各発明は、上記した従来の技術の有する問題点に鑑みてなされたものであり、その目的とするところは、外観を一見しただけで不正行為が行われたことが解る対応動作を追加することが可能なスロットマシンを提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載の発明は、周面に複数種類の図柄(61)が記された複数の回転リール(40)と、これらの回転リール(40)の回転を停止させる際に操作される複数の停止スイッチ(150,250,350,450) と、外部からの不正な手段で所定の不正な操作が行われたことを検出して不正検出信号を出力する不正検出手段(23)とを備え、遊技者が前記複数の停止スイッチ(150,250,350,450) を操作して、所定の図柄(61)の組合せが示される位置に前記複数の回転リール(40)を停止させることができた場合に入賞となるスロットマシン(１)であって、前記停止スイッチ(150,250,350,450) の押圧操作の際に押圧される部位に形成されているとともに、複数の被覆プレート(156,256,356) に分割された被押圧部(151,251,351) と、前記複数の被覆プレート(156,256,356) のそれぞれを所定の二位置の一方から他方へ移動可能に支持する支持手段(157,257,357) と、前記複数の被覆プレート(156,256,356) を所定の二位置の一方から他方へ移動させる駆動手段(158, 358)と、前記不正検出手段(23)が不正検出信号を出力すると、前記駆動手段(158, 358)に前記複数の被覆プレート(156,256,356) を所定の二位置の一方から他方へ移動させる制御手段(24)とが設けられていることを特徴とする。
【０００８】
（請求項２）
（特徴点）
請求項２記載の発明は、前述した請求項１に記載の発明において、次の特徴点を備えているものである。
すなわち、請求項２記載の発明は、前記停止スイッチ(150,250,350,450) として、当該スロットマシン(１)の前面を形成する前扉(３)の前面壁部(51)に配置されたものが採用され、前記支持手段(157,257,357) は、前記複数の被覆プレート(156,256,356) の各々が互いに寄せ集まる集合位置、及び、互いに離れる分離位置との二位置間について移動可能に支持するものであり、前記前扉(３)の前面壁部(51)には、前記複数の被覆プレート(156,256,356) が前記集合位置から前記分離位置まで移動すると、これらの被覆プレート(156,256,356) の各々を係止する係止部(159,259,359) が設けられ、前記制御手段(24)は、前記不正検出手段(23)が不正検出信号を出力すると、前記停止スイッチ(150,250,350,450) の押圧操作を行えないようにするために、前記駆動手段(158, 358)に前記複数の被覆プレート(156,256,356) を前記集合位置から前記分離位置まで移動させて前記係止部(159,259,359) に係止させるものであることを特徴とする。
【０００９】
（請求項３）
（特徴点）
請求項３記載の発明は、前述した請求項２記載の発明において、次の特徴点を備えているものである。
すなわち、請求項３記載の発明は、前記被押圧部(151,251,351) として、円形に形成されたものが採用され、前記複数の被覆プレート(156,256,356) の各々は、円形に形成された前記被押圧部(151,251,351) を、その中心を通る線で分割した扇形に形成されたものであり、前記支持手段(157,257,357) は、前記被押圧部(151,251,351) の中心に寄せ集まる集合位置、及び、前記被押圧部(151,251,351) の中心から径方向に離隔した分離位置の二位置間について、前記複数の被覆プレート(156,256,356) の各々を移動可能に支持するものであることを特徴とする。
【００１０】
（請求項４）
（特徴点）
請求項４記載の発明は、前述した請求項３記載の発明において、次の特徴点を備えているものである。
すなわち、請求項４記載の発明は、前記複数の停止スイッチ(150,250,350,450) の各々が、当該スロットマシン(１)の前面を形成する前扉(３)の前面壁部(51)の裏側に配置され、それぞれに対応して当該前面壁部(51)に開口された各操作孔(52)を通って、その被押圧部(151,251,351) が前記前扉(３)の外側に突出しているものであり、前記複数の被覆プレート(156,256,356) は、前記前扉(３)の外側で、前記集合位置及び前記分離位置の二位置の間を摺動可能となっていることを特徴とする。
（請求項５）
（特徴点）
請求項５記載の発明は、前述した請求項２記載の発明において、次の特徴点を備えているものである。
【００１１】
すなわち、請求項５記載の発明は、前記被押圧部(251) として、円形に形成されたものが採用され、前記複数の被覆プレート(256) の各々は、円弧状に湾曲した湾曲辺(256A)を有するとともに、この湾曲辺(256A)側が凹み、且つ、当該湾曲辺(256A)の一端側に向かって次第に細くなっていく略鉤爪形に形成されたプレートであり、前記支持手段(257) は、前記被押圧部(251) の押圧される被押圧面と略直角に交差する支持軸(257C)で、前記複数の被覆プレート(256) の各々の湾曲辺(256A)の他端側を軸支し、前記被覆プレート(256) の各湾曲辺(256A)の一端側が前記被押圧部(251) の中央に寄せ集まる集合位置、及び、前記被覆プレート(256) の各湾曲辺(256A)の一端側が前記被押圧部(251) の外周縁部分に達して、前記複数の被覆プレート(256) が円形の開口を形成する分離位置の二位置間について、前記複数の被覆プレート(256) の各々を回動可能に支持するものであることを特徴とする。
【００１２】
（請求項６）
（特徴点）
請求項６記載の発明は、前述した請求項５記載の発明において、次の特徴点を備えているものである。
すなわち、請求項６記載の発明は、前記複数の停止スイッチ(250) の各々が、当該スロットマシン(１)の前面を形成する前扉(３)の前面壁部(51)の裏側に配置され、それぞれに対応して当該前面壁部(51)に開口された各操作孔(52)を通じて、その被押圧部(251) が押圧操作可能となったものであり、前記複数の被覆プレート(256) は、前記前扉(３)の外側で、前記集合位置及び前記分離位置の二位置の間を回動可能となっていることを特徴とする。
【００１３】
（請求項７）
（特徴点）
請求項７記載の発明は、前述した請求項２記載の発明において、次の特徴点を備えているものである。
すなわち、請求項７記載の発明は、前記被押圧部(351) として、円形に形成されたものが採用され、前記複数の被覆プレート(356) の各々は、前記被押圧部(351) を、その中心を通る線で分割した扇形に形成されたものであり、前記支持手段(357) は、前記被押圧部(351) の押圧される被押圧面と平行に配置された支持軸(357B)で、前記複数の被覆プレート(356) の円弧状となった端縁部分を軸支し、前記被覆プレート(356) の扇状の中心角部分が前記被押圧部(351) の中央に寄せ集まる集合位置、及び、前記被覆プレート(356) の扇状の中心角部分が前記被押圧部(351) の周縁から外側に離隔した分離位置の二位置間について、前記複数の被覆プレート(356) の各々を回動可能に支持するものであることを特徴とする。
【００１４】
ここで、被覆プレートとして、扇形としての半円形のものを採用することができ、また、このような被覆プレートを採用した場合には、被押圧部の押圧される被押圧面と平行に配置された支持軸で、半円形の被覆プレートを回動可能に支持する支持手段を採用し、これにより、半円形にされた一対の被覆プレートを観音開き式に回動可能としてもよい。
（請求項８）
（特徴点）
請求項８記載の発明は、前述した請求項２から請求項７までのいずれかに記載の発明において、次の特徴点を備えているものである。
【００１５】
すなわち、請求項８記載の発明は、前記制御手段(24)として、前記駆動手段(158, 358)に前記複数の被覆プレート(156,256,356) を前記分離位置まで移動させて前記係止部(159,259,359) に係止させると、前記前扉(３)が開放されて所定のリセット操作が行われるまで、前記複数の被覆プレート(156,256,356) を前記係止部(159,259,359) に係止させた状態を維持するものが採用されていることを特徴とする。
（請求項９）
（特徴点）
請求項９記載の発明は、前述した請求項８記載の発明において、次の特徴点を備えているものである。
【００１６】
すなわち、請求項９記載の発明は、前記不正検出手段(23)として、予め軽微な不正行為として定められた不正行為を検出した場合には、不正検出信号の送出に伴って、軽不正信号をも送出するように形成されたものが採用され、前記制御手段(24)として、軽不正信号を受信せず、不正検出信号のみを受信したことに対応して、前記複数の被覆プレート(156,256,356) を前記係止部(159,259,359) に係止させた場合には、前記前扉(３)が開放されて所定のリセット操作が行われるまで、前記複数の被覆プレート(156,256,356) を前記係止部(159,259,359) に係止させた状態を維持する一方、軽不正信号及び不正検出信号の両方を受信したことに対応して、前記複数の被覆プレート(156,256,356) を前記係止部(159,259,359) に係止させた場合には、当該係止の開始から所定時間が経過した後に、前記駆動手段(158, 358)により前記複数の被覆プレート(156,256,356) を前記集合位置に戻させ、前記被覆プレート(156,256,356) と前記係止部(159,259,359) との係止を解除するものが採用されていることを特徴とする。
【００１７】
（請求項１０）
（特徴点）
請求項１０記載の発明は、次の点を特徴とする。
すなわち、請求項１０に記載された発明は、周面に複数種類の図柄(61)が記された複数の回転リール(40)と、これらの回転リール(40)の回転を停止させる際に操作される複数の停止スイッチ(450) と、外部からの不正な手段で所定の不正な操作が行われたことを検出して不正検出信号を出力する不正検出手段(23)とを備え、遊技者が前記複数の停止スイッチ(450) を操作して、所定の図柄(61)の組合せが示される位置に前記複数の回転リール(40)を停止させることができた場合に入賞となるスロットマシン(１)であって、前記複数の停止スイッチ(450) の各々は、押圧操作の際に押圧される部位に形成されている被押圧部(251) を備えるとともに、当該スロットマシン(１)の前面を形成する前扉(３)の前面壁部(51)の裏側に配置され、それぞれに対応して前記前面壁部(51)に開口された操作孔(52)を通じて、その被押圧部(251) が押圧操作可能となったものであり、前記前面壁部(51)に開口された操作孔(52)を閉塞することが可能な複数の閉塞プレート(256) と、前記複数の閉塞プレート(256) のそれぞれを、前記操作孔(52)を開放する開放位置及び前記操作孔(52)を閉鎖する閉鎖位置の二位置の一方から他方へ移動可能に支持する支持手段(257) と、前記複数の閉塞プレート(256) を前記開放位置及び前記閉鎖位置の二位置の一方から他方へ移動させる駆動手段(158) と、前記不正検出手段(23)が不正検出信号を出力すると、前記駆動手段(158) に前記複数の閉塞プレート(256) を前記開放位置から前記閉鎖位置へ移動させる制御手段(24)とが設けられていることを特徴とする。
【００１８】
（請求項１１）
（特徴点）
請求項１１記載の発明は、前述した請求項１０記載の発明において、次の特徴点を備えているものである。
すなわち、請求項１１記載の発明は、前記操作孔(52)として、円形に形成されたものが採用され、前記複数の閉塞プレート(256) の各々は、円弧状に湾曲した湾曲辺(256A)を有するとともに、この湾曲辺(256A)側が凹み、且つ、当該湾曲辺(256A)の一端側に向かって次第に細くなっていく略鉤爪形に形成されたプレートであり、前記支持手段(257) は、前記被押圧部(251) の押圧される被押圧面と略直角に交差する支持軸(257C)で、前記複数の閉塞プレート(256) のそれぞれに設けられている湾曲辺(256A)の他端側を軸支し、前記閉塞プレート(256) の各湾曲辺(256A)の一端側が前記操作孔(52)の外周縁部分に達して、前記複数の閉塞プレート(256) が円形の開口を形成する開放位置、及び、前記閉塞プレート(256) の各湾曲辺(256A)の一端側が前記操作孔(52)の中央に寄せ集まる閉鎖位置の二位置間について、前記複数の閉塞プレート(256) の各々を回動可能に支持するものであることを特徴とする。
【発明の効果】
【００１９】
（請求項１の効果）
以上のように構成されている本発明は、以下に記載されるような効果を奏する。
すなわち、請求項１記載の発明によれば、停止スイッチの押圧操作の際に押圧される部位に形成される被押圧部を、複数の被覆プレートに分割し、これらの被覆プレートを所定の二位置の一方から他方へ移動可能に支持する支持手段と、前述の二位置の一方から他方へ複数の被覆プレートを移動させる駆動手段と、不正検出手段による不正検出信号の出力により、駆動手段に複数の被覆プレートを前述の二位置の一方から他方へ移動させる制御手段とを設け、不正検出手段が不正検出信号を出力すると、被押圧部の形状が変化するようにしたので、被押圧部の形状変化により、停止スイッチが作動しないように固定する、例えば、被覆プレートが二位置の一方から他方へ移動すると、被覆プレートがスロットマシンの本体側に係止されるようにすれば、停止スイッチの操作が行えなくなり、不正行為が行われた際に、遊技動作を停止させなくとも、遊技の進行が阻止され、メダルが不正に掠奪されることを防止できる。
【００２０】
このような停止スイッチの具体的な設計を行うにあたり、被覆プレートを移動させることにより、停止スイッチの被押圧部の形状が大きく変化するように設定することが可能なので、これにより、不正行為の検出により、前述の二位置の一方から他方へ被覆プレートが移動して、停止スイッチの形状が大きく変化するようにすれば、停止スイッチの外観を一見しただけで不正行為が行われたことが解るようになる。
従って、不正行為の検出により、被覆プレートが移動し、停止スイッチの被押圧部の形状を変化させることで、停止スイッチの操作を不可能にし、これにより、不正行為に対処する対応動作を実現できるうえ、停止スイッチの形状変化により、外観を一見しただけで不正行為が行われたことが解るようになり、以上により、外観を一見しただけで不正行為が行われたことが解る対応動作を追加することができる。
【００２１】
（請求項２の効果）
請求項２記載の発明によれば、上記した請求項１記載の発明の効果に加え、次のような効果を奏する。
すなわち、請求項２記載の発明によれば、複数の被覆プレートの各々が互いに寄せ集まる集合位置、及び、互いに離れる分離位置との二位置間について移動可能となるようにしたので、被覆プレートが互いに離れる分離位置にあるときには、被押圧部のサイズが集合位置にあるときよりも大きくなる。
これにより、前扉の前面壁部に設けられる係止部は、複雑な形状のものでなくとも、分離位置まで移動してきた被覆プレートを確実に係止することができる。
【００２２】
例えば、停止スイッチは、前扉の前面壁部に開口された挿通孔に挿通され、この状態で当該前扉に進退可能に設けられていることが一般的である。この場合、被覆プレートを集合位置及び分離位置との二位置間について移動可能し、分離位置にあるときには集合位置にあるときよりも被押圧部のサイズが大きくなるように停止スイッチを形成しておけば、被覆プレートを分離位置まで移動することにより、被覆プレートが前扉の挿通孔の周囲に係止され、停止スイッチの操作を確実に不可能にすることができ、これにより、前扉側の構造を何ら複雑にすることなく、外観を一見しただけで不正行為が行われたことが解る対応動作を追加することができる。
【００２３】
（請求項３の効果）
請求項３記載の発明によれば、上記した請求項２記載の発明の効果に加え、次のような効果を奏する。
すなわち、請求項３記載の発明によれば、円形に形成された被押圧部の中心を通る線で当該被押圧部を分割した扇形となるように、複数の被覆プレートの各々を形成し、さらに、被押圧部の中心に寄せ集まる集合位置、及び、被押圧部の中心から径方向に離隔した分離位置の二位置間について移動可能となるように、複数の被覆プレートを支持手段に支持させたので、複数の被覆プレートを集合位置に集合させると、被覆プレートのすべてが被押圧部の周縁よりも内側に収まるようにすることができる。これにより、被覆プレートを集合位置まで移動させると、被覆プレートが前扉側の係止部に係止されることがなくなるので、停止スイッチが何ら支障なく操作できるようになる。
【００２４】
また、前述のように、複数の被覆プレートを支持手段に支持させれば、複数の被覆プレートを分離位置に移動した際に、被覆プレートが被押圧部の周縁よりも外側へはみ出るようにすることができる。これにより、被覆プレートを分離位置まで移動させると、被覆プレートが前扉側の係止部に係止されるので、停止スイッチの操作を確実に行えないようにすることができる。
従って、不正行為が何ら行われず、適正に遊技が行われている間は、複数の被覆プレートを集合位置に配置することで、停止スイッチの操作において何ら支障が生じなくなり、遊技を円滑に行うことができる一方、不正行為が行われた際に、複数の被覆プレートを集合位置から分離位置へ移動させることで、停止スイッチが確実に操作できない状態となり、遊技動作を停止させなくとも、遊技の進行が阻止され、メダルが不正に掠奪されることを防止できるうえ、被覆プレートが被押圧部の周縁よりも外側へ広がった状態となるので、不正行為が行われたことを示すサインとして、遠くからでも視認しやすいものを形成することができる。
【００２５】
（請求項４の効果）
請求項４記載の発明によれば、上記した請求項１から請求項３までのいずれかに記載の発明の効果に加え、次のような効果を奏する。
すなわち、請求項４記載の発明によれば、複数の停止スイッチをスロットマシンの前扉の裏側に配置し、前扉の前面壁部に開口した操作孔を通って、その被押圧部を前扉の外側に突出させるようにしたので、停止スイッチに形成されている被押圧部及び被覆プレート以外の殆どすべての部分が前扉の裏側に配置され、停止スイッチのスイッチ本体等の電気素子部分、及び、被覆プレートを駆動する駆動手段を前扉の裏側に隠蔽することができ、これにより、遊技者等によって停止スイッチのスイッチ本体及び駆動手段が悪戯されることがなくなり、停止スイッチ及び駆動手段の動作異常や故障の発生を防止することができ、従って、被覆プレートを移動させて操作ができなくするようにしても、スロットマシンの稼働率を維持することができる。
【００２６】
（請求項５の効果）
請求項５記載の発明によれば、上記した請求項２記載の発明の効果に加え、次のような効果を奏する。
すなわち、請求項５記載の発明によれば、複数の被覆プレートを略鉤爪形に形成し、被覆プレートの各湾曲辺の一端側が被押圧部の中央に寄せ集まる集合位置、及び、被覆プレートの各湾曲辺の一端側が被押圧部の外周縁部分に配置されて、当該複数の被覆プレートが円形の開口を形成する分離位置の二位置間について移動可能となるように、複数の被覆プレートを支持手段に支持させたので、複数の被覆プレートの一端側を集合位置に集合させることにより、被覆プレートのすべてを被押圧部の周縁よりも内側に収めることができる。これにより、被覆プレートの一端側が集合位置まで移動されると、被覆プレートが前扉側の係止部に係止されることがなくなるので、停止スイッチが何ら支障なく操作できるようになる。
【００２７】
また、前述のように、複数の被覆プレートを支持手段に支持させれば、複数の被覆プレートの一端側が分離位置まで移動した際に、被覆プレートの所定部位が被押圧部の周縁よりも外側へはみ出るようにすることができる。これにより、被覆プレートが分離位置まで移動されると、被覆プレートの所定部位が前扉側の係止部に係止されるので、停止スイッチの操作を確実に行えないようにすることができる。
そして、複数の被覆プレートを集合位置から分離位置へ向かって回動させると、複数の被覆プレートが囲んでいる中央開口がカメラの絞り部分の如く徐々に開くようになり、被覆プレートの表面の色彩と、集合位置において被覆プレートが覆い隠している部分の色彩とを視覚的に著しく異なるようにしておけば、被覆プレートを分離位置へ回動させることにより、停止スイッチの被押圧部の色彩が変化したように視認させることができる。
【００２８】
従って、不正行為が何ら行われず、適正に遊技が行われている間は、複数の被覆プレートの一端側を集合位置に配置することで、停止スイッチの操作が何ら支障なく行え、これにより、遊技を円滑に行うことができる一方、不正行為が行われた際には、複数の被覆プレートの一端側を集合位置から分離位置へ移動させることで、停止スイッチを確実に操作できない状態にすることができ、遊技動作を停止させなくとも、遊技の進行を阻止することができ、メダルが不正に掠奪されることを防止できる。そのうえ、不正行為が行われると、被押圧部の色彩が変化したように視認させることができるので、不正行為が行われたことを示すサインとして、遠くからでも視認しやすいものを形成することができる。
【００２９】
（請求項６の効果）
請求項６記載の発明によれば、上記した請求項１から請求項５までのいずれかに記載の発明の効果に加え、次のような効果を奏する。
すなわち、請求項６記載の発明によれば、複数の停止スイッチをスロットマシンの前扉の裏側に配置し、前扉の前面壁部に開口した操作孔を通じて、その被押圧部の押圧操作が行えるようにしたので、停止スイッチの殆どすべての部分が前扉の裏側に配置され、停止スイッチのスイッチ本体等の電気素子部分、被覆プレートを移動可能に支持する支持手段、及び、被覆プレートを駆動する駆動手段を前扉の裏側に隠蔽することができ、これにより、遊技者等によって停止スイッチのスイッチ本体、支持手段及び駆動手段が悪戯されることがなくなり、停止スイッチ、支持手段及び駆動手段の動作異常や故障の発生を防止することができ、従って、被覆プレートを移動させて操作ができなくするようにしても、スロットマシンの稼働率を維持することができる。
【００３０】
（請求項７の効果）
請求項７記載の発明によれば、上記した請求項２記載の発明の効果に加え、次のような効果を奏する。
すなわち、請求項７記載の発明によれば、被押圧部の中心を通る線で当該被押圧部を分割した扇形に各被覆プレートを形成し、被押圧部の押圧される被押圧面と平行に配置された支持軸で被覆プレートの円弧状となった端縁部分を軸支し、このような支軸で軸支することで、被覆プレートの扇形の中心角部分が被押圧面と略直交する円の周縁に沿って回動可能とし、これにより、被覆プレートの扇状の中心角部分が、互いに被押圧部の中央に寄せ集まる集合位置と、被押圧部の周縁から外側に離隔した分離位置との二位置間について回動できるようにしたので、複数の被覆プレートを集合位置に集合させると、被覆プレートのすべてが被押圧部の周縁よりも内側に収まり、被覆プレートが前扉側の係止部に係止されることがなくなるので、停止スイッチが何ら支障なく操作できるようになる。
【００３１】
一方、複数の被覆プレートを分離位置まで回動させると、被覆プレートが被押圧部の周縁よりも外側へはみ出るので、被覆プレートが前扉側の係止部に係止され、停止スイッチの操作が確実に行えないようになる。
しかも、被覆プレートの裏側の面と、集合位置において被覆プレートが覆い隠している部分の色彩とを同じものとし、且つ、この色彩と、被覆プレートの表側の面の色彩とを、視覚的に著しく異なるようにしておけば、被覆プレートを分離位置へ回動させることにより、停止スイッチの被押圧部の色彩が変化するとともに、被押圧部が外側に広がったように視認させることができるので、不正行為が行われたことを示すサインとして、遠くからでも視認しやすいものを形成することができる。
【００３２】
（請求項８の効果）
請求項８記載の発明によれば、上記した請求項１から請求項７までのいずれかに記載の発明の効果に加え、次のような効果を奏する。
すなわち、請求項８記載の発明によれば、駆動手段が、一旦、複数の被覆プレートを分離位置まで移動させて係止部に係止させると、前扉が開放されて所定のリセット操作が行われるまで、複数の被覆プレートが係止部に係止された状態が維持されるようにしたので、不正行為が検出された場合には、係止部による被覆プレートの係止により、当該スロットマシンの遊技進行が停止され、この遊技進行の停止は、リセット操作が行われるまで維持される。これにより、不正にメダルが払い出されることが防止され、遊技場の金銭的損害の発生を未然に防止することができる。なお、リセット操作が行われ、係止部による被覆プレートの係止が解除されれば、当該スロットマシンの遊技が進行可能となり、遊技者は、通常に遊技を行うことができるようになる。
【００３３】
（請求項９の効果）
請求項９記載の発明によれば、上記した請求項８記載の発明の効果に加え、次のような効果を奏する。
すなわち、請求項９記載の発明によれば、不正検出手段として、予め軽微な不正行為として定められた不正行為を検出した場合には、不正検出信号の送出に伴って、軽不正信号をも送出するように形成されたものを採用したので、当該スロットマシンが設置された遊技場側等に損害が発生しない軽微な不正行為がなされた場合には、所定の時間が経過するまでの間、複数の被覆プレートが係止部に係止され、この間、遊技が行えなくなる。
【００３４】
これにより、遊技者が前述のような軽微な不正行為を行うと、所定の阻止時間が経過するまでの間だけ、遊技の進行が一時的に阻止されるペナルティが遊技者に科せられるようになるので、遊技者は、軽微な不正行為を行わなくなり、従って、軽微な不正行為の防止を図ることができる。
一方、メダルの掠奪等、遊技場側等に損害が発生する不正行為がなされた場合には、前述したように、リセット操作が行われるまで、複数の被覆プレートが係止部に係止された状態が維持され、これにより、不正にメダルが払い出されることが防止され、遊技場の金銭的損害の発生を未然に防止することができる。
【００３５】
（請求項１０の効果）
請求項１０記載の発明によれば、次のような効果を奏する。
すなわち、請求項１０記載の発明によれば、スロットマシンの前面を形成する前扉の前面壁部の裏側に、停止スイッチを配置し、停止スイッチに対応するように、前扉の前面壁部に操作孔を開口し、これらの操作孔を通じて、停止スイッチの被押圧部が押圧操作できるようにし、且つ、操作孔を開放する開放位置及び操作孔を閉鎖する閉鎖位置の二位置の一方から他方へ移動可能となった複数の閉塞プレートを各操作孔のそれぞれに設けたので、不正行為が何ら行われず、適正に遊技が行われている間は、複数の閉塞プレートを開放位置に配置させることで、停止スイッチの操作が何ら支障なく行え、これにより、遊技を円滑に行うことができる一方、不正行為が検出された際には、複数の閉塞プレートを閉鎖位置へ移動させることで、操作孔を塞いで停止スイッチを操作できない状態にすることができ、遊技動作を停止させなくとも、遊技の進行を阻止することができ、メダルが不正に掠奪されることを防止できる。
【００３６】
そのうえ、閉塞プレートの表側の色彩と被押圧部の色彩とが視覚的に著しく異なるようにしておけば、不正行為が行われると、操作孔内部の色彩が変化したように視認させることができるので、不正行為が行われたことを示すサインとして、遠くからでも視認しやすいものを形成することができる。
また、複数の停止スイッチをスロットマシンの前扉の裏側に配置し、前扉の前面壁部に開口した操作孔を通じて、その被押圧部の押圧操作が行えるようにしたので、閉塞プレートを閉鎖位置に回動させてしまえば、操作孔が閉鎖され、停止スイッチのスイッチ本体等の電気素子部分、閉塞プレートを移動可能に支持する支持手段、及び、閉塞プレートを駆動する駆動手段を前扉の裏側に隠蔽することができ、これにより、遊技者等によって停止スイッチのスイッチ本体、支持手段及び駆動手段が悪戯されることがなくなり、停止スイッチ、支持手段及び駆動手段の動作異常や故障の発生を防止することができ、従って、閉塞プレートを移動させて操作ができなくするようにしても、スロットマシンの稼働率を維持することができる。
【００３７】
（請求項１１の効果）
請求項１１記載の発明によれば、上記した請求項１０記載の発明の効果に加え、次のような効果を奏する。
すなわち、請求項１１記載の発明によれば、複数の閉塞プレートを略鉤爪形に形成し、且つ、閉塞プレートの各湾曲辺の一端側が操作孔の外周縁部分に達して、複数の閉塞プレートが円形の開口を形成する開放位置、及び、閉塞プレートの各湾曲辺の一端側が操作孔の中央に寄せ集まる閉鎖位置の二位置間について回動可能となるように支持手段で複数の閉塞プレートを支持したので、複数の閉塞プレートを一斉に開放位置から閉鎖位置へ向かって回動させても、閉塞プレート同士が衝突することなく、操作孔を音もなく一瞬にして閉鎖することができる。
【００３８】
このため、複数の閉塞プレートで操作孔を迅速に開閉するようにしても、閉塞プレート同士の衝突が発生せず、支持手段や駆動手段に無理な力が加わることがなくなり、その耐久性を大幅に向上することができ、この点からも、スロットマシンの稼働率を維持することができる。
【発明を実施するための最良の形態】
【００３９】
以下に、本発明を実施するための最良の形態である実施形態について、図面を参照しながら説明する。
（第１実施形態）
図１〜図５には、本発明の第１実施形態が示されている。図１は、本第１実施形態に係るスロットマシンの全体を示す正面図、図２は、本第１実施形態に係る停止スイッチを示す図１のII−II線における断面図、図３は、本第１実施形態に係る停止スイッチを正面から見た正面図、図４は、本第１実施形態に係る被覆プレートを駆動するための駆動機構の概略を示す正面図、図５は、本第１実施形態に係る制御装置を示すブロック図である。
【００４０】
（スロットマシン１の概要）
本第１実施形態に係るスロットマシン１は、複数の回転リール40の各々に記された複数種類の図柄が所定の組合せとなるように、回転している回転リール40を停止させる遊技を行うものである。
このようなスロットマシン１は、図１に示すように、当該スロットマシン１の各種装置を収納するために、正面形状が長方形となった箱状の本体キャビネット２を備えたものとなっている。本体キャビネット２は、正面全体が開口された箱状の部材である。そして、本体キャビネット２には、その開口を塞ぐための前扉３が回動可能に設けられている。
【００４１】
前扉３の上下方向における中央部分は、スロットマシン１の遊技操作を行うための操作部４となっている。この操作部４には、次のような操作用の手段が設けられている。
すなわち、操作部４の図１中右端近傍には、前扉３の施錠を行う鍵が差し込まれる鍵穴3Aと、遊技用メダルが投入されるメダル投入口18とが設けられている。
操作部４の図１における中央部分には、回転リール40の回転を停止させるストップスイッチ150 が設けられている。このストップスイッチ150 の図１中左端上方には、メダル投入口18に投入されたメダルのうち該遊技に賭けるメダルの枚数を設定するためのベットスイッチ16が設けられている。また、ストップスイッチ150 の図１中左側には、遊技動作を開始させるために操作されるとともに、操作されるとスタート信号を発信するスタートスイッチ30が設けられている。換言すると、スタートスイッチ30は、操作されると回転リール40の回転を開始させるものとなっている。このスタートスイッチ30の図１中左端上方には、貯留されているメダルを払い戻させるための精算スイッチ17が設けられている。
【００４２】
このような操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け部3Cが設けられている。
操作部４の上方には、横方向に細長い長方形状に形成された図柄表示窓13が設けられている。図柄表示窓13は、本体キャビネット２の内部に収納された回転リール40の図柄61を遊技者に見せるための窓である。
【００４３】
図柄表示窓13の上方には、動画の表示までもが可能となった液晶パネル型の表示装置66A が設けられている。
これらの表示装置66A 及び図柄表示窓13の周囲には、表示装置66A 及び図柄表示窓13の図１中左方、上方、右方を囲むように、逆Ｕ字形に配列された装飾ランプ部66B が設けられている。
また、前扉３の上方左右の角隅近傍には、種々の音声を出力するためのスピーカ66C が設けられている。
これらの装飾ランプ部66B 及びスピーカ66C は、各遊技毎にスロットマシン１の内部で行われる当否抽選で、所定の当選役に対応した当選フラグが成立した際に行われる報知演出を行うための演出手段66となっている。
【００４４】
この演出手段66は、遊技者に当選フラグが成立すると、例えば、ボーナスフラグが成立すると、装飾ランプ部66B を点灯又は点滅させる、スピーカ66C から当選音を発生させる等のいずれか一つを単独で作動させる、若しくは、これら二つ以上、又は、全部を同時に作動させることにより、遊技者に当選フラグの成立を報知する報知演出を行うようになっている。なお、ボーナスフラグ等の当選フラグが成立すると、表示装置66A も、その旨を画面に映し出された文字や映像で表示し、この表示により、遊技者に当選フラグの成立を報知する報知演出を行うようになっている。
本体キャビネット２の内部には、次のような遊技用の装置が設けられている。
【００４５】
すなわち、図柄表示窓13の裏側には、前述の三個の回転リール40を回転可能に支持するとともに、各回転リール40を回転駆動する図示しないモータを備えたリールユニット60が設けられている。
また、本体キャビネット２の内部においてメダル投入口18の下方には、当該メダル投入口18に投入されたメダルの真贋を判定するメダルセレクタ15が設けられている。
下パネル3Bの裏側には、メダルセレクタ15が真正なものと判定したメダルを貯留するとともに、貯留しているメダルを遊技者へ払い出すことができるホッパーユニット65が設けられている。
【００４６】
リールユニット60は、図示しない枠体と、この枠体に支持された前述の図示しない三個のモータと、各々のモータの出力軸に結合された三個の回転リール40とを備えたものである。そして、三個の回転リール40の各々は、その周面に複数種類の図柄61が、例えば、合計２１個の図柄61が記されたものとなっている。
ここで、操作部４の中央部分に設けられている三個のストップスイッチ150 は、本発明に基づく停止スイッチであり、三個の回転リール40のそれぞれに対応して設けられ、該当する回転リール40の回転を停止させる際に操作されるものとなっている。
（ストップスイッチ150） 
ストップスイッチ150 は、図２に示すように、遊技者等によって押圧操作される部位である被押圧部151 が形成された可動部152 と、内部の電気的接続が遮断状態から導通状態となる電気回路が形成された本体部153 とを備えたものとなっている。そして、ストップスイッチ150 は、その本体部153 がスロットマシン１の前面を形成している前扉３の前面壁部51の裏側に配置され、各ストップスイッチ150 に応じて当該前面壁部51に開口された各操作孔52を通って、その被押圧部151 が前扉３の外側に突出するようになっている。
【００４７】
ストップスイッチ150 の本体部153 は、可動部152 を図２中上下方向に進退可能に支持するものである。
ストップスイッチ150 の可動部152 は、被押圧部151 に前面壁部51から突出したその内部に設けられているコイルスプリング等の弾性体により本体部153 から遠ざかる方向へ付勢されている。
そして、ストップスイッチ150 の可動部152 は、被押圧部151 に押圧力が加えられていない状態では、図２（Ａ）に示すように、前面壁部51の表面から所定の寸法だけ離れた遮断位置αに被押圧部151 が配置されるようになっている。ストップスイッチ150 は、被押圧部151 が遮断位置αに配置されていると、本体部153 の内部の接続状態が遮断状態となるように形成されている。
【００４８】
一方、ストップスイッチ150 の可動部152 は、被押圧部151 に前述の弾性体の弾性力よりも強い押圧力が加えられると、本体部153 に近づく方向へ移動し、図２（Ｂ）に示すように、遮断位置αよりも前面壁部51の表面に近い導通位置βまで達するようになっている。ストップスイッチ150 は、被押圧部151 が導通位置βまで到達すると、本体部153 の内部の接続状態が導通状態となるように形成されている。
ここで、ストップスイッチ150 の被押圧部151 は、複数（例えば、６個）の被覆プレート156 に分割されたものである。
そして、ストップスイッチ150 には、図２〜図４に示すように、複数の被覆プレート156 のそれぞれを所定の二位置の一方から他方へ移動可能に支持する支持手段としての支持フレーム157 と、これらの被覆プレート156 を所定の二位置の一方から他方へ移動させる駆動手段としてのロータリーソレノイド158 とが設けられている。
【００４９】
さらに具体的に説明すると、被押圧部151 は、図２及び図３に示すように、スロットマシン１の正面から見た形状が、円形に形成されたものである。
複数の被覆プレート156 の各々は、円形に形成された被押圧部151 を、その中心を通る線で分割した扇形に形成されたものである。
支持フレーム157 は、複数の被覆プレート156 のすぐ裏側に配置されるとともに、図３に示すように、円形に形成された固定プレート157A、及び、この固定プレート157Aの裏側に配置されるとともに、図４に示すように、固定プレート157Aとほぼ同じ大きさの円形に形成された可動プレート157Bを互いに重ね合わせたものである。
【００５０】
このうち、固定プレート157Aは、可動部152に回転不能に設けられたものである。
この固定プレート157Aには、図３に示すように、被覆プレート156 に応じて複数の長孔157Cが設けられている。これらの長孔157Cは、固定プレート157Aの径方向の中間位置において、当該径方向に延びるとともに、固定プレート157Aの周方向に等間隔に配置されたものとなっている。
一方、被覆プレート156 の各々には、固定プレート157Aの該当する長孔157Cの内部に挿通される係合突起156Aが設けられている。被覆プレート156 各々は、その係合突起156Aが長孔157Cに案内されて固定プレート157Aの径方向に移動可能となっている。
【００５１】
ここで、複数の被覆プレート156 及び固定プレート157Aの一方には、各被覆プレート156 移動方向に延びる図示しない回り止め用の溝が設けられている。
また、複数の被覆プレート156 及び固定プレート157Aの他方には、前述の回り止め用の溝の内部に挿入される図示しない回り止め用の突起が設けられている。
被覆プレート156 は、固定プレート157Aの径方向に移動する際に、係合突起156Aを中心に回転しないように、前述の溝及び突起が互いに係合するようになっている。
可動プレート157Bは、可動部152に固定されたロータリーソレノイド158 の駆動軸158Aに取り付けられることにより、可動部152に回動可能に設けられたものである。
【００５２】
この可動プレート157Bには、図４に示すように、被覆プレート156 に応じて複数の湾曲長孔157Dが設けられている。これらの湾曲長孔157Dは、可動プレート157Bの径方向の中間位置において、当該径方向に対して斜めに交差する方向に湾曲しながら延びるとともに、固定プレート157Aの周方向に等間隔に配置されたものとなっている。
そして、被覆プレート156 の係合突起156Aは、固定プレート157Aの長孔157Cを通って、可動プレート157Bの湾曲長孔157Dの内部に挿通されるようになっている。
そして、可動プレート157Bは、図４（Ａ）に示すように、被覆プレート156 の係合突起156Aが長孔157Cの径方向内側の端部に配置された状態において、ロータリーソレノイド158 によって図４中反時計方向に回転駆動されると、湾曲長孔157Dの内部に挿入された係合突起156Aを固定プレート157Aの径方向外側に移動させるようになっている。
【００５３】
反対に、可動プレート157Bは、図４（Ｂ）に示すように、被覆プレート156 の係合突起156Aが長孔157Cの径方向外側の端部に配置された状態において、ロータリーソレノイド158 によって図４中時計方向に回転駆動されると、係合突起156Aを固定プレート157Aの径方向内側に移動させるようになっている。
これにより、複数の被覆プレート156 は、図３（Ａ）の如く、各々が互いに寄せ集まる集合位置γ（図２の矢印参照）と、図３（Ｂ）の如く、互いに離れる分離位置δ（図２の矢印参照）との二位置間について移動可能となっている。
以上において、支持フレーム157 は、複数の被覆プレート156 の各々が互いに寄せ集まる集合位置γ、及び、互いに離れる分離位置δとの二位置間について移動可能に支持するものとなっている。
【００５４】
そして、図２（Ａ）及び図３（Ｂ）に示すように、前扉３の前面壁部51における操作孔52の周囲の部分は、分離位置δに配置されている複数の被覆プレート156 と係合し、これらの被覆プレート156 の各々を係止して、被押圧部151 が操作孔52の内側へ向かって進行するのを阻止する係止部159 となっている。
換言すると、前扉３の前面壁部51には、複数の被覆プレート156 が集合位置γから分離位置δまで移動すると、これらの被覆プレート156 の各々を係止する係止部159 が設けられている。これにより、スロットマシン１は、被覆プレート156 が分離位置δに到達すると、ストップスイッチ150 の押圧操作が不可能となり、回転している回転リール40を停止させることができず、遊技をそれ以上進行させることができないようになっている。
【００５５】
なお、複数の被覆プレート156 は、少なくとも表面がゴム等の柔軟性を有する材質で形成され、これにより、移動中の被覆プレート156 に、遊技者の指等が触れても、被覆プレート156 が遊技者を何ら傷つけることがなく、安全性が確保されるようになっている。
（スロットマシン１の制御装置20）
次に、スロットマシン１の制御装置20について説明する。
図５には、スロットマシン１に係る制御系統の概略構成が示されている。図５において、制御装置20は、マイクロコンピュータを利用したＣＰＵ並びにＲＯＭ及びＲＡＭ等の記憶手段を含んで構成されたハードウェアに、演出動作制御や遊技動作制御を行うためのソフトウェアがインストールされたものである。
【００５６】
ここで、制御装置20の特徴を簡単に説明すると、制御装置20は、遊技が行われる毎に遊技の当否に係る当否抽選を行うために、後述する当否抽選手段90を備え、この当否抽選手段90による当否抽選で所定の当選役に対応した当選フラグが成立すると、遊技者に対して当該当選役への入賞を可能にするものである。
また、制御装置20は、スロットマシン１に対して行われた不正行為を検出すると、当該不正行為に対応した対抗措置を行う機能を備えたものとなっている。
さらに、制御装置20は、当該当選フラグが成立した際に、当該当選フラグが成立した旨を報知するために用意された複数種類の内定演出の中から一の内定演出を選択し、選択した一の内定演出を所定の確率で行う機能も備えている。
【００５７】
制御装置20は、信号の受信や送信を行うために、図示しない信号入力部及び制御信号出力部を備えている。
このうち、信号入力部には、図５に示すように、前述したメダルセレクタ15、ベットスイッチ16、精算スイッチ17、スタートスイッチ30、及び、ストップスイッチ150 等の遊技者による操作により信号を出力する機器、並びに、不正行為を検出するための検出器、例えば、本体キャビネット２の内部に進入してきた針金状の器具を検出する図示しないセンサ等が電気的に接続されている。
一方、制御信号出力部には、リールユニット60、ホッパーユニット65、演出手段66、表示装置66A 、及び、ロータリーソレノイド158 等の能動的に動作する装置が電気的に接続されている。これにより、制御装置20は、遊技者の操作や遊技の結果、あるいは、検出した不正行為に対応して、リールユニット60、ホッパーユニット65、演出手段66、表示装置66A 、及び、ロータリーソレノイド158 等の動作制御が行えるようになっている。
【００５８】
このような制御装置20には、インストールされている前述のソフトウェアにより、スタートスイッチ30及びストップスイッチ150 の操作に対応した回転リール40の動作制御を含んだスロットマシン１の遊技全般を制御する遊技制御装置21と、当選フラグの成立を報知する内定演出等の演出を行うために、ロータリーソレノイド158 以外の装置、例えば、演出手段66及び表示装置66A 等を制御する演出制御手段22と、前述のセンサが発する信号に基づいて不正行為の検出を行うとともに、不正行為を検出すると所定の対抗措置を行う不正行為検出制御手段23と、この不正行為検出制御手段23が不正行為を検出すると、ロータリーソレノイド158 を動作させて、遊技の進行を阻止する遊技進行阻止制御手段24とが設けられている。
【００５９】
（遊技制御装置21）
このうち、遊技制御装置21は、図５の如く、ボーナスフラグ等の当選フラグが何ら成立していない状態で行われる通常遊技における遊技動作を制御する通常遊技制御手段70と、ボーナスゲーム等に入賞すると行われる特別遊技の遊技動作を制御する特別遊技制御手段80と、遊技が行われる毎に遊技の当否に係る当否抽選を行うための当否抽選手段90とを備えたものとなっている。
（通常遊技制御手段70）
通常遊技制御手段70は、図柄61の蹴飛ばし引き込み等を含む回転リール40の起動及び停止を制御する駆動制御機能と、ボーナスフラグ等の特別当選フラグ成立の権利の持ち越しを制御する持ち越し制御機能と、フラグ成立の権利が持ち越しがなされない小役に入賞した際にメダルを払い出す払い出し制御機能とを備えている。
【００６０】
通常遊技制御手段70は、駆動制御機能により、メダル投入口18にメダルが投入されたこと、ベットスイッチ16の操作によりメダルが投入（ベット）されたこと、及び、前遊技で「再遊技（Replay）」となった場合において前遊技から所定時間が経過したことのいずかかの条件が満たされると、スタートスイッチ30の操作を契機に、三個の回転リール40に対して一斉に回転を開始させるようになっている。
そして、通常遊技制御手段70は、駆動制御機能により、三個のストップスイッチ150 のそれぞれが操作されると、操作されたストップスイッチ150 に対応する回転リール40の回転を停止させるようになっている。
【００６１】
これらのストップスイッチ150 が三個すべて操作し終えた後に、三個の回転リール40の回転が全て停止し、図柄表示窓13の有効入賞ライン上に、予め設定された当選役である小役を構成する複数の図柄61が揃うと、通常遊技制御手段70は、払い出し制御機能により、ホッパーユニット65に対して所定枚数のメダルを払い出させる。
ここで、スロットマシン１の遊技全般における当選役としては、入賞すると、メダルの払い出しを伴い、遊技者に利益を付与する小役入賞に対応する当選役と、この小役入賞よりもさらに大きな利益を遊技者に付与する特別入賞に対応する当選役と、メダルの払い出しは無いが、遊技メダルを新たに投入することなく再度の遊技を行うことができる「再遊技(Replay)」に対応する当選役とが準備されている。
【００６２】
これらの当選役のうち、当否抽選手段90による当否抽選の結果がいずれかの一の当選役となった場合、通常遊技制御手段70は、その当選役に対応した当選フラグを成立させるようになっている。
また、当否抽選手段90による当否抽選の結果が特別入賞に対応する当選である場合に、特別当選フラグ、いわゆるボーナスフラグが成立し、且つ、この特別当選フラグ成立中に、リールユニット60に設けられた回転リール40の停止図柄の組み合わせが、予め定められた所定の組合せである特別入賞図柄（例えば、有効入賞ライン上に「７」が三個揃うもの）と一致していることを条件に入賞となり、スロットマシン１の遊技は、遊技者に有利な特別遊技に移行するようになっている。
【００６３】
このように当否抽選手段90の抽選により特別当選フラグが成立したものの、回転リール40の停止図柄の組み合わせが特別入賞図柄と一致していない場合、当該遊技では、特別遊技に移行することはない。この場合、通常遊技制御手段70は、特別当選フラグ成立の権利を、それ以後の遊技に持ち越すように、特別当選フラグの成立状態を維持するように制御を行うようになっている。そして、それ以後の遊技で、遊技者が停止図柄の組み合わせを特別入賞図柄と一致させることができれば、特別当選フラグ成立の権利が持ち越されていることから、特別遊技に移行するようになっている。なお、小役の当選フラグは、当選フラグが成立した遊技で入賞できなかった場合、不成立の状態に戻り、当選フラグ成立の権利が次の遊技への持ち越されることはない。
【００６４】
以上において、いずれかの当選フラグが成立中に、対応する入賞図柄を有効入賞ライン上に揃えることができるか否かは、回転リール40の回転速度が一定の場合、ストップスイッチ150 の操作タイミングの適否によるものである。
具体的には、通常遊技制御手段70は、ストップスイッチ150 を操作した後、１９０ｍｓ以内に回転リール40を停止させるようになっており、ストップスイッチ150 を操作した後、ストップスイッチ150 を操作したほぼその時点の位置だけでなく、１９０ｍｓ以内に停止可能となる回転リール40の円周上の引き込み可能範囲内における任意の位置にも停止させることが可能となっている。
【００６５】
換言すると、通常遊技制御手段70は、停止図柄から連続する４個の引き込み可能図柄の中に、対応する入賞図柄が含まれている場合には、停止するまでの時間を遅らせて、有効入賞ライン上にその入賞図柄を引き込んで回転リール40を停止させるように制御を行うようになっている。
なお、ストップスイッチ150 の操作タイミングが不適切である等により、かかる４個の引き込み可能図柄の中に、成立した当選フラグ対応する入賞図柄が含まれていない場合には、有効入賞ライン上に、入賞図柄を引き込んで停止することは不可能となっている。
（特別遊技制御手段80）
特別遊技制御手段80は、通常遊技とは異なる特別遊技における遊技動作を制御するものとなっている。
【００６６】
すなわち、スロットマシン１には、特別遊技として、特定導入遊技（ＢＢゲーム）、特定遊技（ＲＢゲーム）及び特定入賞遊技（ＪＡＣゲーム）が設定されている。
ここで、ＢＢゲームは、スロットマシン１の遊技における最も大きな役であり、複数回数のＲＢゲームが行える特別遊技である。
ＲＢゲームは、所定回数の入賞が達成されるまで最大回数を限度に複数回のＪＡＣゲームが行える特別遊技である。また、ＲＢゲームは、ＢＢゲームに移行した際にＢＢゲームの一環として行われる場合、及び、ＢＢゲームの一環ではなく単独で行われる場合のいずれの状況でも行われる。
【００６７】
ＪＡＣゲームは、ＲＢゲーム中に行われ、入賞するとメダルの払い出しが遊技者に対して行われる特別遊技となっている。
なお、特別遊技としては、ＢＢゲーム、ＲＢゲーム及びＪＡＣゲームに限定されるものではなく、さらに、表示装置66A 等を利用して指示した順番でストップスイッチ150 を操作すると入賞に至るＡＴゲーム等を追加してもよい。
このような特別遊技は、通常遊技の実行中に当否抽選手段90により特別当選フラグが成立した状態で、遊技者の操作により停止した停止図柄が前述の特別入賞図柄と一致すると、開始されるものとなっている。
【００６８】
例えば、ＢＢゲームは、通常遊技において、ビッグボーナスフラグが成立した状態で、「７」等の図柄が有効入賞ライン上に三個揃うと、ホッパーユニット65が所定枚数のメダルの払い出しを行うが、このメダルの払い出しとともに開始されるようになっている。
特別遊技制御手段80には、図４に示すように、ＢＢゲームにおける遊技動作を制御する特定導入遊技制御手段81と、ＲＢゲームにおける遊技動作を制御する特定遊技制御手段82とが設けられている。
特定導入遊技制御手段81は、ＢＢゲームに移行した当初、小役の入賞の可能性がある通常遊技と同様の遊技動作の制御を行い、ＲＢゲームに移行するための特定入賞図柄が有効入賞ライン上に揃うと、その後、ＲＢゲームの遊技動作の制御を行うものである。
【００６９】
具体的には、特定導入遊技制御手段81は、ＲＢゲームに移行するまでは、通常遊技と同様に最大３枚のメダルの投入によって遊技を開始させ、３つの回転リールの回転を各々停止させた際に、有効入賞ライン上に入賞図柄が揃っているか否かによって、メダルの払い出しを行わせるようになっている。
従って、特定導入遊技制御手段81は、ＲＢゲームに移行するまでは、通常遊技と同様に、当否抽選手段90に小役を含めた抽選を毎回行わせるようになっている。
ここで、ＢＢゲームは、通常、当該ＢＢゲームにおいてＲＢゲームの実施回数が所定の最大回数（例えば、３回）に達する、或いは、当該ＢＢゲームにおいて通常遊技と同様の遊技の実施回数が所定の最大回数（例えば、３０回）に達すると、終了するようになっている。
【００７０】
このため、特定導入遊技制御手段81は、ＢＢゲームが終了するまで、複数回のＲＢゲームを行うように制御を行い、１回目のＲＢゲームが終了した後は、通常遊技と同様の遊技動作が行われるように、その遊技動作を制御するようになっている。
また、ＢＢゲームを終了させる条件は、当該ＢＢゲームで行われたＲＢゲームの回数、或いは、通常遊技と同様の遊技の回数が、予め設定された最大回数に達したことに限らず、遊技者に払い出されたメダル枚数が予め設定された最大枚数に達したことでもよい。換言すると、ＢＢゲームにおいて、遊技者に払い出されたメダル枚数が予め設定された最大枚数に達したら、ＢＢゲームを終了するようにしてもよい。
【００７１】
特定遊技制御手段82は、ＲＢゲームに移行すると、１枚のメダル投入で遊技を開始させた後、当該遊技の動作を制御するようになっている。具体的には、特定遊技制御手段82は、遊技者が１枚のメダルを投入し、回転リール40の回転駆動を開始させた後、回転リール40を停止した際に、所定の図柄が表示窓12のセンターライン上に揃った場合に入賞とし、所定枚数のメダルをホッパーユニット65に払い出させるように遊技動作を制御するものとなっている。
ここで、ＲＢゲームは、入賞するとメダルの払い出しがなされるＪＡＣゲームが予め定められた最大回数（例えば、１２回）を越えない範囲で行われ、そのうち、予め定められた最大入賞回数（例えば、８回）の入賞が可能である。
【００７２】
すなわち、ＲＢゲームは、ＪＡＣゲームの実施回数が最大回数に達した時、或いは、ＪＡＣゲームの実施における入賞回数が最大入賞回数に達した時のいずれか早い時に終了するようになっている。
（当否抽選手段90）
当否抽選手段90は、予め定めた抽選確率に基づいて当選か否かの当選判定の抽選を行うものである。そして、当否抽選手段90による抽選結果が当選である場合に当選フラグが成立し、この当選フラグ成立中に、回転リール40の停止図柄の組み合わせが予め定められた入賞図柄と一致したことを条件に入賞となり、遊技者にメダルの払い出しや、特別遊技等の利益が付与されるように設定されている。
【００７３】
この当否抽選手段90には、図２に示すように、当否抽選用の乱数を発生させる乱数発生手段91と、この乱数発生手段91が発生した乱数を所定の条件で抽出する乱数抽出手段92と、当否判定の際に当選領域が参照される当否判定テーブル93と、この当否判定テーブル93に基づいて当否判定を行う判定手段94とが設けられている。
乱数発生手段91は、予め設定された所定の数値領域内（例えば、十進数で０〜９９９の範囲内）で、当否抽選用の乱数を発生させるものである。
乱数抽出手段92は、予め設定された所定の条件が達成されたことを契機に、例えば、スタートスイッチ30が操作されたことを契機に、乱数発生手段91によって次々発生される乱数の中から一の乱数を抽出し、抽出した乱数を抽出乱数データとするものである。
【００７４】
当否判定テーブル93は、乱数発生手段91がとりうる乱数の全領域における所定の箇所に、ＢＢゲーム等の各入賞役に対応した当選役の各々を決定する当選領域がそれぞれ割り当てられたものである。当否判定テーブル93としては、各当選役の当選する確率である抽選確率データが互いに異なる複数種類のものが用意されている。
判定手段94は、各遊技に対応した抽選確率データを有する当否判定テーブル93を選択し、選択した当否判定テーブル93と、乱数抽出手段92が抽出した抽出乱数データとに基づいて、当否の判定及び当選の場合には当選役を決定するものである。具体的には、判定手段94は、乱数抽出手段92が抽出した抽出乱数データと、選択した当否判定テーブル93における各当選領域の当否判定領域データとを照合し、乱数抽出手段92が抽出した抽出乱数データに一致する当否判定領域データが属する当選領域から、当否の判定及び当選役の決定を行うものである。
【００７５】
（演出制御手段22）
演出制御手段22は、特別当選フラグが成立した際に、当該特別当選フラグが成立したことを報知する報知演出等の演出を行うために、装飾ランプ部66B 及びスピーカ66C 等を含む演出手段66、並びに、表示装置66A 等の装置を制御するものである。
さらに説明すると、演出制御手段22は、当否抽選手段90が当否抽選によりボーナスフラグである特別当選フラグを成立させた際に、当該当否抽選手段90から出力されるボーナスフラグの状態を示すステータス信号を受信し、このステータス信号の受信を契機に、複数種類の報知演出のなかから一の報知演出を選択する抽選を行うようになっている。
【００７６】
この際、演出制御手段22の抽選の結果としては、演出手段66及び表示装置66A 等を利用して報知演出を行うことだけでなく、報知演出を何ら行わないことも含まれている。
演出制御手段22は、演出手段66及び表示装置66A 等を利用して報知演出を行うことが抽選により選択された場合には、演出動作の制御を行うが、報知演出を何ら行わないことが選択された場合には、演出動作の制御を行わないようになっている。
（不正行為検出制御手段23）
不正行為検出制御手段23は、複数種類の不正行為を検出することができるとともに、複数種類の対抗措置が実行可能に記憶・設定されたものであり、検出した不正行為の内容に応じて一の対抗措置を選択して行うように形成されたものである。
【００７７】
さらに詳しく説明すると、スロットマシン１には、前述した本体キャビネット２内に進入してきた針金状器具を検出するセンサの他に、クレジットを満タンにするために、メダル投入口18から挿入されてメダルセレクタ15を誤動作させる器具を検出するセンサや、遊技者等が前扉３を乱暴に叩くことによって生じる振動を検出する振動センサ等、不正な行為を検出するために、図示しない様々なセンサが設けられている。
そして、不正行為検出制御手段23は、不正行為を検出するために設けられている図示しない様々なセンサの各々から送信されてくる検知信号を受信し、検知信号を発したセンサに応じて一の対抗措置、換言すると、当該不正行為に対応した対抗措置を選択して行うものとなっている。
【００７８】
さらに詳しく説明すると、不正行為検出制御手段23は、不正行為の重さに応じた対抗措置を選択して行うものとなっており、軽微な不正行為を検出した場合には、不正検出信号の送出に伴って、軽不正信号をも送出するようになっている。
例えば、不正行為検出制御手段23は、本体キャビネット２内に進入してきた針金状器具を検出するセンサから検知信号を受信すると、遊技進行阻止制御手段24へ不正検出信号を送出し、遊技進行阻止制御手段24にロータリーソレノイド158 を動作させて、ストップスイッチ150 の被覆プレート156 を分離位置δに移動させるとともに、ホッパーユニット65への電力供給を停止する対抗措置を行うようになっている。
【００７９】
また、不正行為検出制御手段23は、メダルセレクタ15を誤動作させる器具を検出するセンサから不正検知信号を受信すると、速やかにスロットマシン１の電源を遮断する対抗措置を行うようになっている。
さらに、不正行為検出制御手段23は、振動を検出する振動センサから不正検知信号を受信すると、遊技進行阻止制御手段24へ不正検出信号及び軽不正信号を送出し、遊技進行阻止制御手段24にロータリーソレノイド158 を動作させて、ストップスイッチ150 の被覆プレート156 を分離位置δに移動させる対抗措置を行うようになっている。
以上において、不正行為検出制御手段23は、外部からの不正な手段で所定の不正な操作が行われたことを検出して不正検出信号を出力する不正検出手段となっている。
【００８０】
（遊技進行阻止制御手段24）
遊技進行阻止制御手段24は、不正行為検出制御手段23から不正検出信号を受信すると、不正行為に対抗するための対抗阻止として遊技の進行を阻止するものである。
具体的には、遊技進行阻止制御手段24は、不正行為検出制御手段23から不正検出信号を受信すると、ロータリーソレノイド158 を動作させて、集合位置γに配置されている複数の被覆プレート156 を分離位置δへ移動させ、これにより、ストップスイッチ150 の押圧操作が行えない状態にして、遊技の進行を阻止するようになっている。
さらに詳しく説明すると、所定の不正行為が行われると、ストップスイッチ150 を利用して当該不正行為が行われたことを報知するために、不正行為検出制御手段23から遊技進行阻止制御手段24へ不正検出信号が送出されるようになっている。
【００８１】
そして、遊技進行阻止制御手段24は、不正検出信号を受信すると、複数の被覆プレート156 を分離位置δへ移動させることで、当該不正行為が行われたことを報知するようになっている。
ここで、軽不正信号を受信せず、不正検出信号のみを受信した場合に、遊技進行阻止制御手段24が複数の被覆プレート156 を分離位置δへ移動させて、遊技の進行を阻止する目的は、メダルの掠奪等の犯罪を防止する防犯となっている。
このため、軽不正信号を受信せず、不正検出信号のみを受信したことにより、複数の被覆プレート156 を分離位置δに到達させた場合には、前扉３が開放されて所定のリセット操作が行われるまで、複数の被覆プレート156 の位置をそのままの位置（分離位置δ）に維持し、これらの被覆プレート156 が係止部159 に係止されている状態を維持するようになっている。
【００８２】
一方、軽不正信号及び不正検出信号の両方を受信した場合に、遊技進行阻止制御手段24が複数の被覆プレート156 を分離位置δへ移動させて、遊技の進行を阻止する目的は、遊技者等に対するペナルティを与えることとなっている。
このため、遊技進行阻止制御手段24は、軽不正信号及び不正検出信号の両方を受信したことにより、複数の被覆プレート156 を分離位置δに到達させた場合、すべての被覆プレート156 が分離位置δに到達してから所定時間が経過すると、複数の被覆プレート156 を分離位置δから元の位置である集合位置γへ移動させるように、ロータリーソレノイド158 の動作制御を行うようになっている。
【００８３】
換言すると、遊技進行阻止制御手段24は、軽不正信号及び不正検出信号の両方を受信した場合、所定の阻止時間（例えば、３分間）が経過するまでの間だけ、遊技の進行を一時的に阻止するようになっている。
ここで、予め設定された制限時間を超えて回転リール40の回転が継続しないように、回転リール40の自動停止機能がスロットマシン１に設けられていても、遊技進行阻止制御手段24が、遊技の進行を一時的に阻止している間は、制限時間を超えても、回転リール40の回転が継続されるようになっている。
次に、本第１実施形態に係る制御装置20によって行われる遊技動作の制御処理である遊技制御処理と、ストップスイッチ150 の押圧操作を不可能にすることで遊技の進行を阻止する遊技進行阻止制御処理とについて図６〜図９を参照しながら説明する。なお、本第１実施形態に係る制御装置20において、遊技制御処理及び遊技進行阻止制御処理は、並列処理される。そこで、先に、遊技制御処理について説明した後に、遊技進行阻止制御処理についての説明を行う。
【００８４】
スロットマシン１の電源が投入されると、遊技制御処理及び遊技進行阻止制御処理が開始され、スロットマシン１のゲームが開始される。この際、遊技制御処理は、図６の如く、ステップＳ1000から処理が開始される。
すなわち、図６に示すように、ステップＳ1000において、メダルの投入により操作が可能となったスタートスイッチ30の操作を検知する検知処理が行われ、スタートスイッチ30が操作されて、スタートスイッチ30の内部接点が閉じると、これに対応して、遊技スタート時の音声を出力する処理を開始する等、スタートスイッチ30の操作に対応した処理も行われ、この後、次のステップＳ1100へ進む。
【００８５】
ステップＳ1100において、当否抽選手段90により当否抽選処理が行われる。この後、次のステップＳ1200に進み、このステップＳ1200で、回転リール40の回転駆動を開始させてから、次のステップＳ1300に進む。
ステップＳ1300では、ストップスイッチ150 の操作を検知する検知処理が行われる。すなわち、ステップＳ1300において、遊技者によってストップスイッチ150 が操作されて、ストップスイッチ150 の内部接点が閉じたことが検知されると、次のステップＳ1400へ進む。ステップＳ1400では、回転リール40の回転停止処理が行われ、これにより、回転リール40が停止し、この後、次のステップＳ1500へ進む。
【００８６】
ステップＳ1500では、三個の回転リール40に対応するすべてのストップスイッチ150 の操作が行われたか否かが判定される。そして、三個の回転リール40に対応するストップスイッチ150 がすべて操作されたと判定された場合、次のステップＳ1600へ進む。
一方、ステップＳ1500で、三個の回転リール40に対応するストップスイッチ150 がすべて操作されていないと判定された場合、ステップＳ1300に戻る。
ステップＳ1600において、当選フラグ成立中に当該当選フラグに対応する入賞図柄が有効入賞ライン上に揃ったか否か、すなわち、入賞したか否かが判定される。そして、入賞したと判定された場合には、次のステップＳ1700へ進み、ステップＳ1700で、入賞図柄に対応する枚数のメダルが払い出された後、一回分の遊技が終了する。
【００８７】
一方、ステップＳ1600で、入賞していないと判定された場合、ステップＳ1700をスキップして、一回分の遊技が終了する。
次に、前述の遊技制御処理におけるステップＳ1100の当否抽選処理について、図７を参照しながら、さらに詳しく説明する。
まず、図７に示すように、ステップＳ1110において、当否抽選手段90の乱数発生手段91により発生された乱数の中から乱数抽出手段92によって乱数が抽出され、この抽出処理が完了したら、次のステップＳ1120へ進む。
ステップＳ1120において、抽出された乱数が乱数抽出手段92の内部に記憶され、この後、次のステップＳ1130へ進み、ステップＳ1130で、判定手段94により、抽出された乱数と、当否判定テーブル93の当否判定領域データとの比較が行われる。そして、次のステップＳ1140に進む。
【００８８】
ステップＳ1140において、判定手段94により、抽出された乱数が、当否判定テーブル93のどの当選領域に含まれるかが判定され、これにより当選役についての評価が行われ、この評価が完了したら、次のステップＳ1150へ進む。
ステップＳ1150では、所定の図柄の蹴飛ばしと、所定図柄の引き込みとが設定される。この設定が完了すると、当否抽選処理が終了する。
続いて、前述の遊技制御処理におけるステップＳ1400のリール回転停止処理について、図８を参照しながら、さらに詳しく説明する。
まず、図８に示すように、ステップＳ1410において、所定の図柄に対して、蹴飛ばしの設定が達成されたか否かが判定される。そして、所定の図柄の蹴飛ばしの設定が達成されていないと判定された場合には、次のステップＳ1420へ進み、反対に、蹴飛ばしの設定が達成されていると判定された場合には、ステップＳ1440へ進む。
【００８９】
ステップＳ1420では、１個の図柄分だけ、回転リール40を回転させる、換言すると、図柄を１個ずつ蹴飛ばす蹴飛ばし処理を行い、この後、次のステップＳ1430へ進む。
ステップＳ1430では、ステップＳ1420において蹴飛ばされた最後の図柄が延べ４個目に達したか否かが判定される。このステップＳ1430で、ストップスイッチ150 を操作した後、最後に蹴飛ばされた図柄が延べ４個目に達したと判定された場合には、ステップＳ1460へ進み、反対に、最後に蹴飛ばされた図柄が延べ４個目に達していないと判定された場合には、ステップＳ1410に戻る。
一方、ステップＳ1410において、所定の図柄の蹴飛ばしの設定が達成されていると判定されたため、ステップＳ1440に進んだ場合には、ステップＳ1440において、いずれかの図柄に対して引き込みが設定されているか否かが判定される。
【００９０】
そして、ステップＳ1440で、いずれかの図柄に対して引き込みが設定されていると判定された場合、次のステップＳ1450へ進み、反対に、いずれかの図柄に対して引き込みが設定されていないと判定された場合、ステップＳ1460へジャンプする。
ステップＳ1450では、引き込み設定が達成されたか否かが判定される。そして、ステップＳ1450で、引き込み設定が達成されたと判定された場合には、ステップＳ1460へ進み、反対に、ステップＳ1450で、引き込み設定が達成されていないと判定された場合には、ステップＳ1420へ進む。
ステップＳ1460では、回転リール40の回転を停止させる停止処理が行われ、このステップＳ1460における停止処理の完了をもって、リール回転停止処理が終了する。
【００９１】
次いで、本第１実施形態に係る遊技進行阻止制御処理、具体的には、ストップスイッチ150 の押圧操作を不可能にすることで、遊技の進行を阻止する処理について図９を参照しながら説明する。
前述のように、スロットマシン１の電源が投入されると、遊技制御処理及び遊技進行阻止制御処理が開始され、スロットマシン１のゲームが開始される。この際、遊技進行阻止制御処理は、図９の如く、ステップＳ2100から処理が開始される。
すなわち、図９に示すように、まず、ステップＳ2100において、遊技進行阻止制御処理を実行すべき処理対象の不正行為が不正行為検出制御手段23によって検出されたか否かが判定される。
【００９２】
そして、ステップＳ2100で、処理対象の不正行為が検出されたと判定された場合には、次のステップＳ2200へ進む。一方、ステップＳ2100で、処理対象の不正行為が検出されたと判定されなかった場合には、当該ステップＳ2100をもって遊技進行阻止制御処理を完了する。
ステップＳ2200では、不正行為検出制御手段23が検出した処理対象の不正行為が軽微なものであるか否かが判定される。
そして、ステップＳ2200で、当該不正行為が軽微なものであると判定された場合、例えば、不正行為検出制御手段23の検出した不正行為が、振動センサの出力信号に基づいて検出された前扉３への打撃である場合には、ステップＳ2300へ進む。一方、ステップＳ2200で、当該不正行為が軽微なものであるととの判定がなされなかった場合には、ステップＳ2400へ進む。
【００９３】
ステップＳ2300では、ストップスイッチ150 の押圧操作を一時的に不可能にすることで、遊技の進行を一時的に阻止する遊技進行時限阻止処理が行われる。すなわち、ステップＳ2300では、ロータリーソレノイド158 の作動により、複数の被覆プレート156 を集合位置γから分離位置δへ移動させ、これにより、一時的に、ストップスイッチ150 の押圧操作が行えない進行阻止状態に移行する。そして、この進行阻止状態に移行してから、所定の阻止時間（例えば、３〜５分間）が経過したら、ロータリーソレノイド158 の作動により、複数の被覆プレート156 を分離位置δから集合位置γへ移動させ、ストップスイッチ150 の押圧操作が行えるようにし、これにより、遊技の進行を可能とし、換言すると、遊技を再開させ、遊技進行時限阻止処理を終了する。この遊技進行時限阻止処理が終了すると、当該ステップＳ2300をもって遊技進行阻止制御処理が完了する。
【００９４】
ステップＳ2400では、ストップスイッチ150 の押圧操作を不可能にすることで、遊技の進行を阻止する遊技進行阻止処理が行われる。すなわち、ステップＳ2400では、ロータリーソレノイド158 の作動により、複数の被覆プレート156 を集合位置γから分離位置δへ移動させて、ストップスイッチ150 の押圧操作を不可能にし、さらに、必要な場合には、スロットマシン１の電源を遮断する。これにより、防犯のために遊技の進行が阻止される進行阻止状態に移行する。そして、この進行阻止状態への移行が完了したら、次のステップＳ2500へ進む。
ステップＳ2500では、スロットマシン１の前扉３が開放されて所定のリセット操作がなされたか否かが判定される。ステップＳ2500で、リセット操作がなされたと判定された場合には、次のステップＳ2600へ進む一方、ステップＳ2500で、リセット操作がなされたと判定されなかった場合には、当該ステップＳ2500を繰り返し行い、リセット操作がなされるまで待機する。
【００９５】
ステップＳ2600では、ストップスイッチ150 の押圧操作を可能にすることで、遊技進行阻止を解除する遊技進行阻止解除処理が行われる。すなわち、ストップＳ2600では、ロータリーソレノイド158 の作動により、複数の被覆プレート156 を分離位置δから集合位置γへ移動させ、ストップスイッチ150 の押圧操作が行えるようにし、これにより、遊技の進行を可能とし、換言すると、遊技を再開させ、遊技進行阻止を解除する処理を行う。この遊技進行阻止の解除処理が終了すると、以上をもって一連の遊技進行阻止制御処理が完了する。
（第１実施形態の効果）
前述のような本第１実施形態によれば、次のような効果が得られる。
【００９６】
すなわち、ストップスイッチ150 の押圧操作の際に押圧される部位に形成される被押圧部151 を、複数の被覆プレート156 に分割し、これらの被覆プレート156 を集合位置γ及び分離位置δの一方から他方へ移動可能に支持する支持フレーム157 と、集合位置γ及び分離位置δの一方から他方へ被覆プレート156 を移動させるロータリーソレノイド158 と、不正行為検出制御手段23による不正検出信号の出力により、ロータリーソレノイド158 に被覆プレート156 を集合位置γ及び分離位置δの一方から他方へ移動させる遊技進行阻止制御手段24とを設け、不正行為検出制御手段23が不正検出信号を出力すると、被押圧部151 の形状が変化するようにしたので、被押圧部151 の形状変化により、ストップスイッチ150 が作動しないように固定される、具体的には、被覆プレート156 が集合位置γから分離位置δへ移動して、スロットマシン１の前扉３に設けられた係止部159 に係止される。これにより、ストップスイッチ150 の操作が行えなくなり、不正行為が行われた際に、遊技動作を停止させなくとも、遊技の進行が阻止され、メダルが不正に掠奪されることを防止できる。
【００９７】
ここで、被覆プレート156 を移動させると、ストップスイッチ150 の被押圧部151 の形状が大きく変化するようにしたので、不正行為検出制御手段23が不正検出信号を出力した際に、集合位置γから分離位置δへ被覆プレート156 を移動させれば、ストップスイッチ150 の形状が大きく変化し、これにより、ストップスイッチ150 の外観を一見しただけで不正行為が行われたことが解るようになる。
従って、不正行為が検出されると、被覆プレート156 が移動し、ストップスイッチ150 の被押圧部151 の形状が変化して、ストップスイッチ150 の操作が不可能になるので、不正行為に対処する対応動作を実現することができるうえ、不正行為が検出された際には、ストップスイッチ150 の形状が変化して、ストップスイッチ150 の外観から不正行為が行われたことが解るようになり、これにより、外観を一見しただけで不正行為が行われたことが解る対応動作を追加することができる。
【００９８】
また、各々が互いに寄せ集まる集合位置γ、及び、互いに離れる分離位置δとの二位置間について複数の被覆プレート156 が移動可能となるようにしたので、被覆プレート156 が互いに離れる分離位置δにあるときには、被押圧部151 のサイズが集合位置γにあるときよりも大きくなる。
これにより、前扉３の前面壁部51に設けられる係止部159 は、単に操作孔52を囲む部位であればよく、複雑な形状のものでなくとも、分離位置δまで移動してきた被覆プレート156 を確実に係止することができる。
このため、被覆プレート156 を分離位置δまで移動するだけで、被覆プレート156 が前扉３の操作孔52の周囲に係止され、ストップスイッチ150 の操作を確実に不可能にすることができ、従って、前扉３側の構造を何ら複雑にすることなく、外観を一見しただけで不正行為が行われたことが解る対応動作を追加することができる。
【００９９】
さらに、円形に形成された被押圧部151 の中心を通る線で当該被押圧部151 を分割した扇形となるように、複数の被覆プレート156 の各々を形成し、さらに、被押圧部151 の中心に寄せ集まる集合位置γ、及び、被押圧部151 の中心から径方向に離隔した分離位置δの二位置間について移動可能となるように、複数の被覆プレート156 を支持フレーム157 に支持させたので、複数の被覆プレート156 を集合位置γに集合させると、被覆プレート156 のすべてが被押圧部151 の周縁よりも内側に収まるようにすることができる。これにより、被覆プレート156 を集合位置γまで移動させると、被覆プレート156 が前扉３側の係止部159 に係止されることがなくなるので、ストップスイッチ150 が何ら支障なく操作できるようになる。
【０１００】
また、複数の被覆プレート156 を分離位置δに移動した際に、被覆プレート156 が被押圧部151 の周縁よりも外側へはみ出るようになるので、被覆プレート156 を分離位置δまで移動させると、被覆プレート156 が前扉３側の係止部159 に係止され、ストップスイッチ150 の操作を確実に行えないようにすることができる。
従って、不正行為が何ら行われず、適正に遊技が行われている間は、複数の被覆プレートが集合位置γに配置され、これにより、ストップスイッチ150 の操作において何ら支障が生じなくなり、遊技を円滑に行うことができる一方、不正行為が行われた際に、複数の被覆プレート156 を集合位置γから分離位置δへ移動させ、これにより、ストップスイッチ150 が確実に操作できない状態となり、遊技動作を停止させなくとも、遊技の進行が阻止され、メダルが不正に掠奪されることを防止できるうえ、被覆プレート156 が被押圧部151 の周縁よりも外側へ広がった状態となるので、不正行為が行われたことを示すサインとして、遠くからでも視認しやすいものを形成することができる。
【０１０１】
また、複数のストップスイッチ150 をスロットマシン１の前扉３の裏側に配置し、前扉３の前面壁部51に開口した操作孔52を通って、その被押圧部151 を前扉３の外側に突出させるようにしたので、ストップスイッチ150 に形成されている被押圧部151 及び被覆プレート156 以外の殆どすべての部分が前扉３の裏側に配置され、ストップスイッチ150 のスイッチ本体である本体部153 等の電気素子部分、及び、被覆プレート156 を駆動するロータリーソレノイド158 を前扉３の裏側に隠蔽することができ、これにより、遊技者等によってストップスイッチ150 の本体部153 及びロータリーソレノイド158 が悪戯されることがなくなり、ストップスイッチ150 及びロータリーソレノイド158 の動作異常や故障の発生を防止することができ、従って、被覆プレート156 を移動させて操作ができなくするようにしても、スロットマシン１の稼働率を維持することができる。
【０１０２】
さらに、軽不正信号が発信されない、比較的重い不正行為が検出され、ロータリーソレノイド158 が複数の被覆プレート156 を分離位置δまで移動させて、一旦、係止部159 に係止させると、前扉３が開放されて所定のリセット操作が行われるまで、複数の被覆プレート156 が係止部159 に係止された状態が維持されるようにしたので、比較的重い不正行為が検出された場合には、係止部159 による被覆プレート156 の係止により、当該スロットマシン１の遊技進行が停止され、この遊技進行の停止は、リセット操作が行われるまで維持される。これにより、不正にメダルが払い出されることが防止され、遊技場の金銭的損害の発生を未然に防止することができる。なお、リセット操作が行われ、係止部159 による被覆プレート156 の係止が解除されれば、当該スロットマシン１の遊技が進行可能となり、遊技者は、通常に遊技を行うことができるようになる。
【０１０３】
また、予め軽微な不正行為として定められた不正行為を検出した場合には、不正検出信号の送出に伴って、軽不正信号をも送出するように形成された不正行為検出制御手段23を設けたので、遊技場に損害が発生しない軽微な不正行為がなされた場合には、所定の時間が経過するまでの間、複数の被覆プレート156 が係止部159 に係止され、この間、遊技が行えなくなる。
これにより、遊技者が前述のような軽微な不正行為を行うと、所定の阻止時間が経過するまでの間だけ、遊技の進行が一時的に阻止されるペナルティが遊技者に科せられるようになるので、遊技者は、軽微な不正行為を行わなくなり、従って、軽微な不正行為の防止を図ることができる。
【０１０４】
（第２実施形態）
図１０〜図１２には、本発明の第２実施形態が示されている。図１０は、本第２実施形態に係る停止スイッチを示す断面図、図１１は、本第２実施形態に係る停止スイッチを正面から見た正面図、図１２は、本第２実施形態に係る被覆プレートを駆動するための駆動機構の概略を示す正面図である。
なお、以下の説明において、前記第１実施形態と同様の装置や部位等には、同一符号を付し、その説明を省略又は簡略する。
（ストップスイッチ250） 
本第２実施形態は、前記第１実施形態における直線的に摺動する被覆プレート156 を、被押圧部251 の表面に沿って回動する被覆プレート256 としたものである。換言すると、本第２実施形態に係る被覆プレート256 は、被押圧部251 の中央部分において開閉動作を行う開閉機構200 の一部分となっている。そして、この開閉機構200 は、カメラにおいてレンズから入ってくる光の量を調節する装置である絞り機構と同様の構造を備えたものとなっている。
【０１０５】
すなわち、本第２実施形態に係るスロットマシン１には、前記第１実施形態と同様に、停止スイッチとしてのストップスイッチ250 が複数設けられている。
これらのストップスイッチ250 の各々には、前記第１実施形態と同様に、図１０の如く、遊技者等によって押圧操作される可動部152 と、遮断状態及び導通状態の一方から他方へ電気的に切りかわる本体部153 とが設けられている。
このうち、可動部152 は、スロットマシン１の前方側の端部が鍔状に拡径されたものである。この可動部152 の鍔状に拡径された部分が前述の開閉機構200 となっている。そして、この開閉機構200 には、遊技者等によって押圧操作される部位としての被押圧部251 が設けられている。
【０１０６】
また、これら複数のストップスイッチ250 の各々は、スロットマシン１の前面を形成している前扉３の前面壁部51の裏側に配置されている。ここで、前面壁部51には、各ストップスイッチ250 に応じて開口された操作孔52が設けられている。
複数のストップスイッチ250 の各々は、各操作孔52を通じて、その可動部152 に形成された被押圧部251 が押圧操作可能となっている。
ストップスイッチ250 の可動部152 は、被押圧部251 に押圧力が加えられていない状態では、図１０（Ａ）に示すように、前面壁部51の表面から所定の寸法だけ離れた遮断位置αに被押圧部251 が配置されるようになっている。
【０１０７】
一方、ストップスイッチ250 の可動部152 は、被押圧部251 に前述の弾性体の弾性力よりも強い押圧力が加えられると、本体部153 に近づく方向へ移動し、図１０（Ｂ）に示すように、遮断位置αよりもさらに前面壁部51の表面から離れた導通位置βまで達するようになっている。
このような可動部152 に設けられている開閉機構200 は、その外周面から外部へ突出する突出位置ε、及び、当該外周面の内部へ没入する没入位置ζの二位置間を移動可能に設けられた被係止突起256Cを有するものとなっている。
一方、操作孔52の内部には、可動部152 が遮断位置αに位置しているとともに、被係止突起256Cが開閉機構200 の外周面から突出している状態で、開閉機構200 の被係止突起256Cを係止して、可動部152 の遮断位置αから導通位置βへの移動を不可能にするリング状の係止部259 が設けられている。
【０１０８】
この係止部259 は、開閉機構200 の外周面の直径に応じた直径（内径）の開口を有するものであり、被係止突起256Cが開閉機構200 の外周面の内部に没入している状態の可動部152 を、当該開口に挿通させることができるようになっている。
これにより、ストップスイッチ250 は、被係止突起256Cが突出位置εにあるときには、押圧操作が不可能となり、被係止突起256Cが没入位置ζにあるときには、押圧操作が行えるようになっている。
ここで、ストップスイッチ250 の被押圧部251 は、複数（例えば、６個）の被覆プレート256 に分割されたものである。
【０１０９】
そして、ストップスイッチ250 には、図１１に示すように、複数の被覆プレート256 のそれぞれを所定の二位置の一方から他方へ移動可能に支持する支持手段としての支持フレーム257 と、これらの被覆プレート256 を所定の二位置の一方から他方へ移動させる駆動手段としてのロータリーソレノイド158 とが設けられている。
さらに具体的に説明すると、被押圧部251 は、スロットマシン１の正面から見た形状が、円形に形成されたものである。
複数の被覆プレート256 の各々は、図１１（Ａ）の如く、円弧状に湾曲した湾曲辺256Aを有するとともに、この湾曲辺256A側が凹み、且つ、当該湾曲辺256Aの一端側に向かって次第に細くなっていく略鉤爪形に形成されたプレートである。
【０１１０】
支持フレーム257 は、複数の被覆プレート256 のすぐ裏側に配置されるとともに、図１１に示すように、円形の環状に形成された固定リング257Aと、図１１及び図１２に示すように、固定リング257Aの内側の同心位置に配置されるとともに、円板状に形成された可動プレート257Bとを備えたものとなっている。
このうち、固定リング257Aは、可動部152に移動不能に固定されたものとなっている。
固定リング257Aには、図１１に示すように、被覆プレート156 に応じて複数の回動支持軸257Cが設けられている。これらの回動支持軸257Cは、それぞれが被押圧部251 の遊技者等に押圧される被押圧面と略直角に交差する支持軸となっており、固定リング257Aの外周縁近傍において当該固定リング257Aの周方向に等間隔に配置されたものとなっている。
【０１１１】
ここにおいて、支持フレーム257 は、複数設けられた回動支持軸257Cの各々で、複数の被覆プレート256 の各々の湾曲辺256Aの他端側を軸支し、図１１（Ｂ）に示すように、被覆プレート256 の各湾曲辺256Aの一端側が被押圧部251 の中央に寄せ集まる集合位置、及び、図１１（Ａ）に示すように、被覆プレート256 の各湾曲辺256Aの一端側が被押圧部251 の外周縁部分に移動し、複数の被覆プレート256 が円形の開口を形成する分離位置の二位置間について、複数の被覆プレート256 を回動可能に支持するものとなっている。
そして、開閉機構200 は、図１１（Ａ）に示すように、複数の被覆プレート256 が分離位置に配置されると、その中央部分に円形の開口が形成される開放状態をなる一方、図１１（Ｂ）に示すように、複数の被覆プレート256 が集合位置に配置されると、その中央部分の開口が閉鎖される閉鎖状態となるように構成されている。
【０１１２】
また、複数の被覆プレート256 の各々には、図１１の如く、裏側の可動プレート257Bと重なり合う範囲内に収まるように、その湾曲辺256Aの他端側から一端側へ向かって延びる長孔256Bが形成されている。
一方、可動プレート257Bには、被覆プレート156 の長孔256Bのそれぞれに応じて、複数の係合突起257Dが設けられている。これらの係合突起257Dの各々は、対応する被覆プレート156 に設けられている長孔256Bの内部に挿通され、この長孔256Bの内部から当該被覆プレート156 と係合するようになっている。
そして、可動プレート257Bは、可動部152に固定されたロータリーソレノイド158 の駆動軸158Aに取り付けられ、ロータリーソレノイド158 を介して可動部152に回動可能に取り付けられている。
【０１１３】
このような可動プレート257Bは、図１１（Ａ）に示すように、可動プレート257Bが分離位置に配置されている状態、換言すると、被覆プレート256 に設けられている長孔256Bの端部のうち、回動支持軸257Cから離れた方の端部に、その係合突起257Dが配置された状態において、図１２（Ａ）に示すように、ロータリーソレノイド158 によって図１２中時計方向に可動プレート257Bが回転駆動されると、係合突起257Dによって反時計方向へ押圧されて、分離位置から集合位置へ向かって回動するようになっている。
反対に、可動プレート257Bは、図１１（Ｂ）に示すように、可動プレート257Bが集合位置に配置されている状態、換言すると、被覆プレート256 に設けられている長孔256Bの端部のうち、回動支持軸257Cに近い方の端部に、その係合突起257Dが配置された状態において、図１２（Ｂ）に示すように、ロータリーソレノイド158 によって図１２中反時計方向に可動プレート257Bが回転駆動されると、係合突起257Dによって時計方向へ押圧されて、分離位置から集合位置へ向かって回動するようになっている。
【０１１４】
ここで、複数の被覆プレート256 の各々には、図１１（Ａ）の如く、その湾曲辺256Aと対抗する辺から突出するように、前述の被係止突起256Cが設けられている。
被係止突起256Cは、図１１（Ｂ）の如く、複数の被覆プレート156 が集合位置に配置されている状態では、リング状に形成された係止部259 の開口内部に配置され、係止部259 に係止されない状態となる一方、図１１（Ａ）の如く、複数の被覆プレート156 が分離位置に配置されている状態では、係止部259 に重なって係止部259 に係止されるようになっている。
換言すると、被係止突起256Cは、複数の被覆プレート156 が集合位置へ移動されることにより、図１１（Ｂ）の如く、係止部259 の内周面よりも内側へ後退し、すなわち、被押圧部251 の周縁よりも内側の位置（没入位置ζ）まで後退し、係止部259 に係止されることがないように形成されている。
【０１１５】
一方、被係止突起256Cは、複数の被覆プレート156 が分離位置へ移動されることにより、図１１（Ａ）の如く、換言すると、係止部259 の内周面よりも外側に突出し、すなわち、被押圧部251 の周縁からはみ出る位置（突出位置ε）まで前進し、係止部259 に係止されるようになっている。
また、複数の被覆プレート256 の裏側には、図１１（Ｂ）の如く、複数の被覆プレート156 が集合位置に配置されている状態では、これらの被覆プレート256 に隠蔽され、視認することができないが、図１１（Ａ）の如く、複数の被覆プレート256 が分離位置に配置されている状態では、表側に露出される掩蔽部251Aが設けられている。
【０１１６】
ここで、掩蔽部251Aと、被押圧部251とでは、遊技者等が指先で押圧操作を行う際に指先の感触が異なるように、押圧される部位の表面状態が相違している。
また、掩蔽部251Aと、被押圧部251とでは、その表面が視覚的に著しく異なる色彩で着色されている。
（第２実施形態の効果）
このような本第２実施形態によれば、前記第１実施形態と同様の効果を達成できるほか、次のような効果を付加できる。
すなわち、複数の被覆プレート256 を略鉤爪形に形成し、被覆プレート256 の各湾曲辺256Aの一端側が被押圧部251 の中央に寄せ集まる集合位置、及び、被覆プレート256 の各湾曲辺256Aの一端側が被押圧部251 の外周縁部分に配置されて、当該複数の被覆プレート256 が円形の開口を形成する分離位置の二位置間について移動可能となるように、複数の被覆プレート256 を支持フレーム257 に支持させたので、複数の被覆プレート256 の一端側を集合位置に集合させることにより、被覆プレート256 のすべてを被押圧部251 の周縁よりも内側に収めることができる。これにより、被覆プレート256 の一端側が集合位置まで移動されると、被覆プレート256 が前扉３側の係止部259 に係止されることがなくなるので、ストップスイッチ250 が何ら支障なく操作できるようになる。
【０１１７】
また、複数の被覆プレート256 の一端側が分離位置まで移動されると、被覆プレート256 の被係止突起256Cが被押圧部251 の周縁よりも外側へはみ出るようにしたので、被覆プレート256 が分離位置まで移動されると、被覆プレート256 の被係止突起256Cが前扉３側の係止部259 に係止されるようになり、これにより、ストップスイッチ250 の操作を確実に行えないようにすることができる。
そして、複数の被覆プレート256 を集合位置から分離位置へ向かって回動させると、複数の被覆プレート256 が囲んでいる中央開口がカメラの絞り部分の如く徐々に開くようにし、且つ、被覆プレート256 の表面の色彩と、集合位置において被覆プレート256 が覆い隠している掩蔽部251Aの色彩とを視覚的に著しく異なるようにしたので、被覆プレート256 を分離位置へ回動させることにより、ストップスイッチ250 の掩蔽部251Aの色彩が変化したように視認させることができる。
【０１１８】
従って、不正行為が何ら行われず、適正に遊技が行われている間は、複数の被覆プレート256 の一端側を集合位置に配置することで、ストップスイッチ250 の操作が何ら支障なく行え、これにより、遊技を円滑に行うことができる一方、不正行為が行われた際には、複数の被覆プレート256 の一端側を集合位置から分離位置へ移動させることで、ストップスイッチ250 を確実に操作できない状態にすることができ、遊技動作を停止させなくとも、遊技の進行を阻止することができ、メダルが不正に掠奪されることを防止できる。そのうえ、不正行為が行われると、被押圧部251 の色彩が変化したように視認させることができるので、不正行為が行われたことを示すサインとして、遠くからでも視認しやすいものを形成することができる。
【０１１９】
また、複数のストップスイッチ250 をスロットマシン１の前扉３の裏側に配置し、前扉３の前面壁部51に開口した操作孔52を通じて、その被押圧部251 の押圧操作が行えるようにしたので、ストップスイッチ250 の殆どすべての部分が前扉３の裏側に配置され、ストップスイッチ250 の本体部153 に設けられている電気素子部分、被覆プレート256 を移動可能に支持する支持フレーム257 、及び、被覆プレート256 を駆動するロータリーソレノイド158 を前扉３の裏側に隠蔽することができ、これにより、遊技者等によってストップスイッチ250 の本体部153 、支持フレーム257 及びロータリーソレノイド158 が悪戯されることがなくなり、ストップスイッチ250 、支持フレーム257 及びロータリーソレノイド158 の動作異常や故障の発生を防止することができ、従って、被覆プレート256 を移動させて操作ができなくするようにしても、スロットマシン１の稼働率を良好に維持することができる。
【０１２０】
（第３実施形態）
図１３〜図１５には、本発明の第３実施形態が示されている。図１３は、本第３実施形態に係る停止スイッチを示す断面図、図１４は、本第３実施形態に係る停止スイッチを正面から見た正面図、図１４は、本第３実施形態に係る被覆プレートを駆動するための駆動機構の概略を示す拡大断面図である。
なお、以下の説明において、前記第１実施形態と同様の装置や部位等には、同一符号を付し、その説明を省略又は簡略する。
（ストップスイッチ350） 
本第３実施形態は、前記第１実施形態における直線的に摺動する被覆プレート156 を、観音開き式の扉のように回動する被覆プレート356 としたものである。
【０１２１】
すなわち、本第３実施形態に係るスロットマシン１には、前記第１実施形態と同様に、停止スイッチとしてのストップスイッチ350 が複数設けられている。
そして、図１３及び図１４に示すように、ストップスイッチ350 の可動部152 には、遊技者等によって押圧操作される部位である被押圧部351 が設けられ、この被押圧部351 は、二つの被覆プレート356 に分割されたものとなっている。
また、ストップスイッチ350 の可動部152 には、被覆プレート356 のそれぞれを所定の二位置の一方から他方へ移動可能、具体的には、回動可能に支持する支持手段として一対の支持部357 が設けられ、されに、被覆プレート356 を所定の二位置の一方から他方へ移動させる駆動手段として、後述するロータリーソレノイド358 が設けられている。
【０１２２】
さらに具体的に説明すると、被押圧部351 は、スロットマシン１の正面から見た形状が、円形に形成されたものである。
そして、被覆プレート356 の各々は、被押圧部351 を、その中心を通る線で分割した扇形（半円形）に形成されたものとなっている。被覆プレート356 は、図１４に示すように、当該円弧状の周縁部の中央近傍において周縁から内側へ略矩形状に凹んだ一対の切り欠き部356Aを備えている。
支持部357 は、被押圧部351 の周縁部分において、被覆プレート356 の切り欠き部356Aに応じた位置に配置されるとともに、図１３及び図１４の如く、被覆プレート356 の切り欠き部356Aの内部に収納されるように、可動部152 の表面に突設された一対のボス部357Aを備えたものとなっている。そして、支持部357 には、被覆プレート356 の円弧状に形成された周縁部の中央近傍部分と、一対のボス部357Aとの両方を貫通する回転軸357Bが設けられている。この回転軸357Bは、遊技者等により押圧される被押圧部351 の被押圧面と平行に配置された支持軸となっている。
【０１２３】
このような支持部357 は、この回転軸357Bで、被覆プレート356 の円弧状に形成された周縁部の中央近傍部分を回動可能に軸支するものとなっている。
ここにおいて、半円形の扇状に形成された被覆プレート356 は、その円弧状となった端縁部分が回転軸357Bに軸支されている。これにより、被覆プレート356 は、扇状の中心角部分、すなわち、円弧の直線部分となる弦側の端部が大きくな弧を描いて回動するようになっている。
換言すると、被覆プレート356 は、図１３（Ａ）及び図１４（Ａ）に示すように、その弦側の端部が被押圧部351 の中央に寄せ集まる集合位置γ、及び、図１３（Ｂ）及び図１４（Ｂ）に示すように、当該弦側の端部が被押圧部351 の周縁から外側に離隔した分離位置δの二位置間について回動可能となっている。
【０１２４】
また、被覆プレート356 の円弧状に形成された周縁部の中央部分には、図１４に示すように、両側の切り欠き部356Aよりも小さく凹んだ凹部356Bが形成されている。この凹部356Bには、図１５に示すように、可動部152 の内部に向かって延びる棒状のリンク部材352 の一端が収納されている。リンク部材352 の当該一端は、その両側に配置された被覆プレート356 の側壁部分に回転自在に連結されている。
リンク部材352 は、前述したロータリーソレノイド358 の駆動力を被覆プレート356 まで伝達し、当該駆動力で被覆プレート356 を回動させるものである。
可動部152 の内部には、前述したロータリーソレノイド358 と、このロータリーソレノイド358 に回転駆動される一対の歯車353 とが設けられている。
【０１２５】
このうち、ロータリーソレノイド358 の出力軸358Aには、ピニオン・ギア358Bが取り付けられている。
また、一対の歯車353 は、互いに噛み合っているとともに、その一方がロータリーソレノイド358 の出力軸358Aに取り付けられたピニオン・ギア358Bと噛み合っている。そして、これらの歯車353 の各々の回転軸には、それぞれクランクアーム354 の基端が固定され、各クランクアーム354 の先端には、リンク部材352 の他端がそれぞれ回転自在に連結されている。
このような一対の被覆プレート356 は、図１５に示すように、当該被覆プレート356 が集合位置γに配置されている状態において、ロータリーソレノイド358 の出力軸358Aが、図１５中反時計方向に回転すると、集合位置γから分離位置δへ向かって回動するようになっている。
【０１２６】
反対に、一対の被覆プレート356 は、図１５において二点鎖線で示すように、当該被覆プレート356 が分離位置δに配置されている状態において、ロータリーソレノイド358 の出力軸358Aが、図１５中時計方向に回転すると、分離位置δから集合位置γへ向かって回動するようになっている。
ここで、複数の被覆プレート356 の裏側には、図１５の如く、複数の被覆プレート356 が集合位置γに配置されている状態では、これらの被覆プレート356 に隠蔽され、視認することができないが、複数の被覆プレート356 が分離位置δに配置されている状態では、表側に露出される掩蔽部351Aが設けられている。
【０１２７】
ここで、掩蔽部351Aと、被押圧部351（被覆プレート356 ）とでは、遊技者等が指先で押圧操作を行う際に指先の感触が異なるように、押圧される部位の表面状態が相違している。
また、被覆プレート356 が分離位置δに配置されている状態で押圧される掩蔽部351A及び露出される被覆プレート356 の裏側面と、被覆プレート356 が集合位置γに配置されている状態で押圧される被押圧部351となる被覆プレート356 の表側の面とでは、その表面が視覚的に著しく異なる色彩で着色されている。
さらに、掩蔽部351Aの表面には、一対の被覆プレート356 が集合位置γに配置されている状態において、これら一対の被覆プレート356 の表側の面が平面を形成するように、各被覆プレート356 の弦側の端部を支持する突条351Bが突設されている。
【０１２８】
以上において、図１３〜図１５に示すように、前扉３の前面壁部51における操作孔52の周囲の部分は、分離位置δに配置されている複数の被覆プレート356 と係合し、これらの被覆プレート356 の各々を係止して、被押圧部351 が操作孔52の内側へ向かって進行するのを阻止する係止部359 となっている。
換言すると、前扉３の前面壁部51には、複数の被覆プレート356 が集合位置γから分離位置δまで移動すると、これらの被覆プレート356 の各々を係止する係止部359 が設けられている。これにより、スロットマシン１は、被覆プレート356 が分離位置δに到達すると、ストップスイッチ350 の押圧操作が不可能となり、回転している回転リール40を停止させることができず、遊技をそれ以上進行させることができないようになっている。
【０１２９】
なお、複数の被覆プレート356 は、少なくとも表面がゴム等の柔軟性を有する材質で形成され、これにより、移動中の被覆プレート356 に、遊技者の指等が触れても、被覆プレート356 が遊技者を何ら傷つけることがなく、安全性が確保されるようになっている。
（第３実施形態の効果）
このような本第３実施形態によれば、前記第１及び第２実施形態と同様の効果を達成できるほか、次のような効果を付加できる。
すなわち、被押圧部351 の中心を通る線で当該被押圧部351 を分割した扇形に各被覆プレート356 を形成し、被押圧部351 の押圧される被押圧面と平行に配置された支持軸である回転軸357Bで、被覆プレート356 の円弧状となった端縁部分を軸支し、このような回転軸357Bで軸支することで、被覆プレート356 の扇形の中心角部分が被押圧部351 と略直交する円の周縁に沿って回動可能としたので、被覆プレート356 の扇状の中心角部分を、互いに被押圧部351 の中央に寄せ集まる集合位置γと、被押圧部351 の周縁から外側に離隔した分離位置δとの二位置間について回動させることができる。このため、複数の被覆プレート356 を集合位置に集合させると、被覆プレート356 のすべてが被押圧部351 の周縁よりも内側に収まり、被覆プレート356 が前扉３側の係止部359 に係止されることがなくなるので、ストップスイッチ350 が何ら支障なく操作できるようになる。
【０１３０】
一方、複数の被覆プレート356 を分離位置δまで回動させると、被覆プレート356 が被押圧部351 の周縁よりも外側へはみ出るので、被覆プレート356 が前扉３側の係止部359 に係止され、ストップスイッチ350 の操作が確実に行えないようになる。
しかも、被覆プレート356 の裏側の面と、集合位置γにおいて被覆プレート356 が覆い隠している部分である掩蔽部351Aの色彩とを同じものとし、且つ、この色彩と、被覆プレート356 の表側の面の色彩とを、視覚的に著しく異なるようにしたので、被覆プレート356 を分離位置δへ回動させることにより、ストップスイッチ350 の被押圧部351 の色彩が変化するとともに、被押圧部351 が外側に広がったように視認させることができるので、不正行為が行われたことを示すサインとして、遠くからでも視認しやすいものを形成することができる。
【０１３１】
（第４実施形態）
図１６には、本発明の第４実施形態が示されている。図１６は、本第４実施形態に係る停止スイッチを示す断面図である。
なお、以下の説明において、前記第２実施形態と同様の装置や部位等には、同一符号を付し、その説明を省略又は簡略する。
（ストップスイッチ450） 
本第４実施形態は、前記第２実施形態における前扉３側に被係止突起256Cが係止されることにより押圧操作不可能となるストップスイッチ250 を、操作孔52を通じてのみ操作が可能とされ、操作孔52が閉塞されることにより押圧操作不可能となるストップスイッチ450 としたものである。
【０１３２】
すなわち、本第４実施形態のストップスイッチ450 は、図１６に示すように、前記第２実施形態におけるストップスイッチ250 から開閉機構200 を省略したものである。換言すると、ストップスイッチ450 には、前記第２実施形態のストップスイッチ250 と同様に、可動部152 及び本体部153 は設けられているが、開閉機構200 は設けられていない。
また、ストップスイッチ450 は、その全体が前扉３の前面壁部51の裏側に設けられ、図１６（Ａ）に示すように、前面壁部51に形成されている操作孔52を通じて可動部152 に形成されている被押圧部451 の押圧操作が行えるようになっている。
一方、前扉３の前面壁部51の裏側には、前記第２実施形態において説明した開閉機構200 が設けられている。この開閉機構200 は、可動プレート256の回動により開閉される開口が、その中央部分に形成されたものであり、当該開口が操作孔52とほぼ同軸位置となるように配置されている。そして、開閉機構200 に設けられている複数の被覆プレート256 は、操作孔52を閉塞することが可能となった閉塞プレートとなっている。
【０１３３】
これにより、操作孔52は、開閉機構200 に設けられている複数の被覆プレート256 が分離位置（開放位置）に配置されて、図１６（Ａ）に示すように、開閉機構200 の開口が開放されると、当該操作孔52自体も開放されるようになっている。
そして、ストップスイッチ450 は、操作孔52が開放状態にされると、被押圧部151 の押圧操作が可能となっている。
また、操作孔52は、開閉機構200 に設けられている複数の被覆プレート256 が集合位置（閉塞位置）に配置されて、図１６（Ｂ）に示すように、開閉機構200 の開口が閉塞されると、当該操作孔52自体も閉塞されるようになっている。そして、ストップスイッチ450 は、操作孔52が閉塞状態にされると、被押圧部151 の押圧操作が不可能となっている。
【０１３４】
ここで、被覆プレート256 の表側の色彩と被押圧部151 の色彩とが視覚的に著しく異なるようになっている。これにより、不正行為が行われると、操作孔52の内部の色彩が変化したように視認させることが可能となっている。
なお、被覆プレート256 を駆動するロータリーソレノイド158 は、ストップスイッチ450 に対する位置的な干渉を防止するために、開閉機構200 の外周部に配置されている。
（第４実施形態の効果）
このような本第４実施形態によれば、前記第１〜第３実施形態と同様の効果を達成できるほか、次のような効果を付加できる。
【０１３５】
すなわち、スロットマシン１の前面を形成する前扉３の前面壁部51の裏側に、ストップスイッチ450 及び開閉機構200 を設け、ストップスイッチ450 に対応するように、前扉３の前面壁部51に操作孔52を開口し、この操作孔52を通じて、ストップスイッチ450 の押圧操作を行うようにし、且つ、開閉機構200 の被覆プレート256 を開放位置及び閉塞位置の一方から他方へ回動させることにより、操作孔52を開閉するようにしたので、不正行為が何ら行われず、適正に遊技が行われている間は、複数の被覆プレート256 を開放位置に配置させることで、ストップスイッチ450 の操作が何ら支障なく行え、これにより、遊技を円滑に行うことができる。
【０１３６】
一方、不正行為が検出された際には、複数の被覆プレート256 を閉鎖位置へ移動させることで、操作孔52を塞いでストップスイッチ450 を操作できない状態にすることができ、遊技動作を停止させなくとも、遊技の進行を阻止することができ、メダルが不正に掠奪されることを防止できる。
そのうえ、被覆プレート256 の表側の色彩と被押圧部151 の色彩とが視覚的に著しく異なるようにし、不正行為が行われると、操作孔52内部の色彩が変化したように視認させることができるようにしたので、不正行為が行われたことを示すサインとして、遠くからでも視認しやすいものを形成することができる。
【０１３７】
また、複数のストップスイッチ450 をスロットマシン１の前扉３の裏側に配置し、前扉３の前面壁部51に開口した操作孔52を通じて、その被押圧部151 の押圧操作が行えるようにしたので、被覆プレート256 を閉鎖位置に回動させてしまえば、操作孔52が閉鎖され、ストップスイッチ450 の本体部153 等の電気素子部分、被覆プレート256 を移動可能に支持する支持フレーム257 、及び、被覆プレート256 を駆動するロータリーソレノイド158 を前扉３の裏側に隠蔽することができ、これにより、遊技者等によってストップスイッチ450 の本体部153 、支持フレーム257 、及び、ロータリーソレノイド158 が悪戯されることがなくなり、ストップスイッチ450 、支持フレーム257 、及び、ロータリーソレノイド158 の動作異常や故障の発生を防止することができ、従って、被覆プレート256 を移動させて操作ができなくするようにしても、スロットマシン１の稼働率を良好に維持することができる。
【０１３８】
また、開閉機構200 に設けられている複数の被覆プレート256 を略鉤爪形に形成し、且つ、被覆プレート256 の各湾曲辺256Aの一端側が操作孔52の外周縁部分に達して、複数の被覆プレート256 が円形の開口を形成する開放位置、及び、被覆プレート256 の各湾曲辺256Aの一端側が操作孔52の中央に寄せ集まる閉鎖位置の二位置間について回動可能となるように支持フレーム257 で複数の被覆プレート256 を支持したので、複数の被覆プレート256 を一斉に開放位置から閉鎖位置へ向かって回動させても、被覆プレート256 同士が衝突することなく、操作孔52を音もなく一瞬にして閉鎖することができる。
このため、複数の被覆プレート256 で操作孔52を迅速に開閉するようにしても、被覆プレート256 同士の衝突が発生せず、支持フレーム257 やロータリーソレノイド158 に無理な力が加わることがなくなり、その耐久性を大幅に向上することができ、この点からも、スロットマシン１の稼働率を良好に維持することができる。
【図面の簡単な説明】
【０１３９】
【図１】本発明の第１実施形態に係るスロットマシンの全体を示す正面図である。
【図２】前記第１実施形態に係る停止スイッチを示す図１のII−II線における断面図である。
【図３】前記第１実施形態に係る停止スイッチを正面から見た正面図である。
【図４】前記第１実施形態に係る被覆プレートの駆動機構の概略を示す正面図である。
【図５】前記第１実施形態に係る制御装置を示すブロック図である。
【図６】前記第１実施形態の遊技制御処理を説明するためのフローチャートである。
【図７】前記第１実施形態の当否抽選処理を説明するためのフローチャートである。
【図８】前記第１実施形態のリール回転停止処理を説明するためのフローチャートである。
【図９】前記第１実施形態の遊技進行阻止制御処理を説明するためのフローチャートである。
【図１０】本発明の第２実施形態に係る停止スイッチを示す図２に相当する図である。
【図１１】前記第２実施形態に係る停止スイッチを示す図３に相当する図である。
【図１２】前記第２実施形態に係る停止スイッチを示す図４に相当する図である。
【図１３】本発明の第３実施形態に係る停止スイッチを示す図２に相当する図である。
【図１４】前記第３実施形態に係る停止スイッチを示す図３に相当する図である。
【図１５】前記第３実施形態に係る被覆プレートを駆動の駆動機構の概略を示す断面図である。
【図１６】本発明の第４実施形態に係る停止スイッチを示す図２に相当する図である。
【符号の説明】
【０１４０】
１  スロットマシン
３  前扉
23  不正検出手段である不正行為検出生魚手段
24  制御手段としての遊技進行阻止制御手段
40  回転リール
51  前面壁部
52  操作孔
61  図柄
150,250,350,450  停止スイッチであるストップスイッチ
151,251,351  被押圧部
156, 356 被覆プレート
157, 257   支持手段としての支持フレーム
158, 358   駆動手段としてのロータリーソレノイド
159,259,359  係止部
256  閉塞プレート
256A 湾曲辺
257C 支持軸としての回動支持軸
357        支持手段としての支持部
357B 支持軸としての回動軸
【図１】
2009011630.tif 000003
【図２】
2009011630.tif 000004
【図３】
2009011630.tif 000005
【図４】
2009011630.tif 000006
【図５】
2009011630.tif 000007
【図６】
2009011630.tif 000008
【図７】
2009011630.tif 000009
【図８】
2009011630.tif 000010
【図９】
2009011630.tif 000011
【図１０】
2009011630.tif 000012
【図１１】
2009011630.tif 000013
【図１２】
2009011630.tif 000014
【図１３】
2009011630.tif 000015
【図１４】
2009011630.tif 000016
【図１５】
2009011630.tif 000017
【図１６】
2009011630.tif 000018